(57)【特許請求の範囲】
【請求項１】
二股に分岐して記録材が排出可能に搬送される分岐搬送路、これらの分岐搬送路に設けられる正逆回転可能な搬送部材及び前記分岐搬送路を切り替える切替手段を有する画像形成装置に付設され、画像形成装置にて形成された記録材に後処理を施す記録材後処理装置であって、
画像形成装置の一方の分岐搬送路から搬送される記録材に対して所定の後処理を施す後処理機構と、
画像形成装置の他方の分岐搬送路から搬送される記録材に対して前記後処理機構とは別の追加した後処理を施す追加後処理機構と、
後処理として、後処理機構による後処理、追加後処理機構による後処理又は後処理機構及び追加後処理機構による両方の後処理のいずれかを選択する操作部と、
この操作部により、前記後処理機構による後処理が選択されたときには前記切替手段にて前記一方の分岐搬送路に記録材を導いてそのまま前記後処理機構まで搬送して前記後処理機構による後処理を施し、前記追加後処理機構による後処理が選択されたときには前記切替手段にて前記一方の分岐搬送路に記録材を一旦導いた後に停止させ且つ切替手段にて両方の分岐搬送路をつなげるように切替えて追加後処理機構まで記録材を搬送して前記追加後処理機構による後処理を施し、前記後処理機構及び追加後処理機構による両方の後処理が選択されたときには前記切替手段にて前記一方の分岐搬送路に記録材を一旦導いた後に停止させ且つ切替手段にて両方の分岐搬送路をつなげるように切替えて追加後処理機構まで記録材を搬送して前記追加後処理機構による後処理を施した後に、前記後処理機構に記録材を搬送して後処理機構による後処理を施すように、記録材を搬送制御する搬送制御手段とを備えることを特徴とする記録材後処理装置。
【請求項２】
記録材に後処理を施す記録材後処理装置であって、
二股に分岐して記録材が搬送される分岐搬送路、これらの分岐搬送路に設けられる正逆回転可能な搬送部材及び前記分岐搬送路を切り替える切替手段を有する後処理装置筐体と、
一方の分岐搬送路に搬送される記録材に対して所定の後処理を施す後処理機構と、
他方の分岐搬送路に搬送される記録材に対して前記後処理機構とは別の追加した後処理を施す追加後処理機構と、
後処理として、後処理機構による後処理、追加後処理機構による後処理又は後処理機構及び追加後処理機構による両方の後処理のいずれかを選択する操作部と、
この操作部により、前記後処理機構による後処理が選択されたときには前記切替手段にて前記一方の分岐搬送路に記録材を導いてそのまま前記後処理機構まで搬送して前記後処理機構による後処理を施し、前記追加後処理機構による後処理が選択されたときには前記切替手段にて前記一方の分岐搬送路に記録材を一旦導いた後に停止させ且つ切替手段にて両方の分岐搬送路をつなげるように切替えて追加後処理機構まで記録材を搬送して前記追加後処理機構による後処理を施し、前記後処理機構及び追加後処理機構による両方の後処理が選択されたときには前記切替手段にて前記一方の分岐搬送路に記録材を一旦導いた後に停止させ且つ切替手段にて両方の分岐搬送路をつなげるように切替えて追加後処理機構まで記録材を搬送して前記追加後処理機構による後処理を施した後に、前記後処理機構に記録材を搬送して後処理機構による後処理を施すように、記録材を搬送制御する搬送制御手段とを備えることを特徴とする記録材後処理装置。
【請求項３】
請求項１又は２記載の記録材後処理装置において、
追加後処理機構は画像形成装置筐体又は後処理装置筐体に着脱自在な追加付属装置に組み込まれていることを特徴とする記録材後処理装置。
【請求項４】
請求項１又は２記載の記録材後処理装置において、
追加後処理機構は画像形成装置筐体又は後処理装置筐体の外側に配置され、
搬送制御手段は一方の分岐搬送路に記録材を搬送した後、画像形成装置筐体又は後処理装置筐体の外部に記録材の一部を排出した状態で保持し、追加後処理機構による後処理を施すことを特徴とする記録材後処理装置。
【請求項５】
請求項１記載の記録材後処理装置において、
画像形成装置筐体は外側に突出し且つ排出される記録材が収容される記録材収容受けを有し、
追加後処理機構は画像形成装置筐体の外側で且つ前記記録材収容受けの上方に配置されることを特徴とする記録材後処理装置。
【請求項６】
請求項１又は２記載の記録材後処理装置において、
少なくとも前記後処理機構が組み込まれる後処理装置筐体は、画像形成装置筐体に設けられた凹所からなる記録材排出部上に設置されていることを特徴とする記録材後処理装置。
【請求項７】
請求項１又は２記載の記録材後処理装置において、
後処理装置筐体には更に別の拡張後処理機構が組み込まれた拡張付属装置を着脱自在に設けたことを特徴とする記録材後処理装置。
【請求項８】
請求項３記載の記録材後処理装置において、
追加付属装置は、追加後処理機構へ記録材が位置合わせされた状態で搬送可能な位置合わせ搬送部材を有することを特徴とする記録材後処理装置。
【請求項９】
請求項１又は２記載の記録材後処理装置において、
搬送制御手段は、追加後処理機構による後処理を施した記録材の後端が分岐搬送路の分岐点を超えて後処理機構側の分岐搬送路に到達した後に、後続する記録材を、追加後処理機構側の分岐搬送路に導くように搬送することを特徴とする記録材後処理装置。
【請求項１０】
記録材に画像を形成する画像形成装置と、
この画像形成装置にて画像形成された記録材に後処理を施す記録材後処理装置とを備え、
前記画像形成装置は二股に分岐して記録材が排出可能に搬送される分岐搬送路、これらの分岐搬送路に設けられる正逆回転可能な搬送部材及び前記分岐搬送路を切り替える切替手段を有し、
前記記録材後処理装置は、
画像形成装置の一方の分岐搬送路から搬送される記録材に対して所定の後処理を施す後処理機構と、
画像形成装置の他方の分岐搬送路から搬送される記録材に対して前記後処理機構とは別の追加した後処理を施す追加後処理機構と、
後処理として、後処理機構による後処理、追加後処理機構による後処理又は後処理機構及び追加後処理機構による両方の後処理のいずれかを選択する操作部と、
この操作部により、前記後処理機構による後処理が選択されたときには前記切替手段にて前記一方の分岐搬送路に記録材を導いてそのまま前記後処理機構まで搬送して前記後処理機構による後処理を施し、前記追加後処理機構による後処理が選択されたときには前記切替手段にて前記一方の分岐搬送路に記録材を一旦導いた後に停止させ且つ切替手段にて両方の分岐搬送路をつなげるように切替えて追加後処理機構まで記録材を搬送して前記追加後処理機構による後処理を施し、前記後処理機構及び追加後処理機構による両方の後処理が選択されたときには前記切替手段にて前記一方の分岐搬送路に記録材を一旦導いた後に停止させ且つ切替手段にて両方の分岐搬送路をつなげるように切替えて追加後処理機構まで記録材を搬送して前記追加後処理機構による後処理を施した後に、前記後処理機構に記録材を搬送して後処理機構による後処理を施すように、記録材を搬送制御する搬送制御手段とを備えることを特徴とする記録材処理装置。
【請求項１１】
記録材に画像を形成する画像形成装置と、
この画像形成装置にて画像形成された記録材に後処理を施す記録材後処理装置とを備え、
前記記録材後処理装置は、
二股に分岐して記録材が搬送される分岐搬送路、これらの分岐搬送路に設けられる正逆回転可能な搬送部材及び前記分岐搬送路を切り替える切替手段を有する後処理装置筐体と、
一方の分岐搬送路に搬送される記録材に対して所定の後処理を施す後処理機構と、
他方の分岐搬送路に搬送される記録材に対して前記後処理機構とは別の追加した後処理を施す追加後処理機構と、
後処理として、後処理機構による後処理、追加後処理機構による後処理又は後処理機構及び追加後処理機構による両方の後処理のいずれかを選択する操作部と、
この操作部により、前記後処理機構による後処理が選択されたときには前記切替手段にて前記一方の分岐搬送路に記録材を導いてそのまま前記後処理機構まで搬送して前記後処理機構による後処理を施し、前記追加後処理機構による後処理が選択されたときには前記切替手段にて前記一方の分岐搬送路に記録材を一旦導いた後に停止させ且つ切替手段にて両方の分岐搬送路をつなげるように切替えて追加後処理機構まで記録材を搬送して前記追加後処理機構による後処理を施し、前記後処理機構及び追加後処理機構による両方の後処理が選択されたときには前記切替手段にて前記一方の分岐搬送路に記録材を一旦導いた後に停止させ且つ切替手段にて両方の分岐搬送路をつなげるように切替えて追加後処理機構まで記録材を搬送して前記追加後処理機構による後処理を施した後に、前記後処理機構に記録材を搬送して後処理機構による後処理を施すように、記録材を搬送制御する搬送制御手段とを備えることを特徴とする記録材処理装置。
【発明の詳細な説明】
【技術分野】
【０００１】
本発明は、記録材後処理装置及びこれを用いた記録材処理装置に関する。
【背景技術】
【０００２】
従来における記録材処理装置には記録材後処理装置を組み込んだものが既に提供されている。
特許文献１には、後処理装置筐体に対していずれか一つのトレイを着脱可能とし、そのトレイに、用紙の綴じ機構、折り機構及びパンチング機構のいずれかの後処理機構を組み込んだ技術が開示されている。
また、特許文献２には、事前に折り目をつけ、その後に中綴じを行う後処理装置が画像形成装置内に内蔵されている技術が開示されている。
更に、処理トレイにシートを一時的に積載し、積載されたシート束の中央に中綴じ処理を行う中綴じユニットと、中綴じされたシート束を中央で折り処理する中折りユニットとを備えた技術が開示されている。
【０００３】
【特許文献１】特許第３５７７８９４号公報（発明の実施の形態，図１）
【特許文献２】特開２００４−２７７０３６号公報(発明の実施の形態，図３)
【特許文献３】特開２００５−１５４０８０号公報(発明の実施の形態，図１)
【発明の開示】
【発明が解決しようとする課題】
【０００４】
本発明の技術的課題は、後処理機能の追加を簡単に実現することが可能な記録材後処理装置及びこれを用いた記録材処理装置を提供することにある。
【課題を解決するための手段】
【０００５】
請求項１に係る発明は、二股に分岐して記録材が排出可能に搬送される分岐搬送路、これらの分岐搬送路に設けられる正逆回転可能な搬送部材及び前記分岐搬送路を切り替える切替手段を有する画像形成装置に付設され、画像形成装置にて形成された記録材に後処理を施す記録材後処理装置であって、画像形成装置の一方の分岐搬送路から搬送される記録材に対して所定の後処理を施す後処理機構と、画像形成装置の他方の分岐搬送路から搬送される記録材に対して前記後処理機構とは別の追加した後処理を施す追加後処理機構と、  後処理として、後処理機構による後処理、追加後処理機構による後処理又は後処理機構及び追加後処理機構による両方の後処理のいずれかを選択する操作部と、この操作部により、前記後処理機構による後処理が選択されたときには前記切替手段にて前記一方の分岐搬送路に記録材を導いてそのまま前記後処理機構まで搬送して前記後処理機構による後処理を施し、前記追加後処理機構による後処理が選択されたときには前記切替手段にて前記一方の分岐搬送路に記録材を一旦導いた後に停止させ且つ切替手段にて両方の分岐搬送路をつなげるように切替えて追加後処理機構まで記録材を搬送して前記追加後処理機構による後処理を施し、前記後処理機構及び追加後処理機構による両方の後処理が選択されたときには前記切替手段にて前記一方の分岐搬送路に記録材を一旦導いた後に停止させ且つ切替手段にて両方の分岐搬送路をつなげるように切替えて追加後処理機構まで記録材を搬送して前記追加後処理機構による後処理を施した後に、前記後処理機構に記録材を搬送して後処理機構による後処理を施すように、記録材を搬送制御する搬送制御手段とを備えることを特徴とする記録材後処理装置である。
請求項２に係る発明は、記録材に後処理を施す記録材後処理装置であって、二股に分岐して記録材が搬送される分岐搬送路、これらの分岐搬送路に設けられる正逆回転可能な搬送部材及び前記分岐搬送路を切り替える切替手段を有する後処理装置筐体と、一方の分岐搬送路に搬送される記録材に対して所定の後処理を施す後処理機構と、他方の分岐搬送路に搬送される記録材に対して前記後処理機構とは別の追加した後処理を施す追加後処理機構と、後処理として、後処理機構による後処理、追加後処理機構による後処理又は後処理機構及び追加後処理機構による両方の後処理のいずれかを選択する操作部と、この操作部により、前記後処理機構による後処理が選択されたときには前記切替手段にて前記一方の分岐搬送路に記録材を導いてそのまま前記後処理機構まで搬送して前記後処理機構による後処理を施し、前記追加後処理機構による後処理が選択されたときには前記切替手段にて前記一方の分岐搬送路に記録材を一旦導いた後に停止させ且つ切替手段にて両方の分岐搬送路をつなげるように切替えて追加後処理機構まで記録材を搬送して前記追加後処理機構による後処理を施し、前記後処理機構及び追加後処理機構による両方の後処理が選択されたときには前記切替手段にて前記一方の分岐搬送路に記録材を一旦導いた後に停止させ且つ切替手段にて両方の分岐搬送路をつなげるように切替えて追加後処理機構まで記録材を搬送して前記追加後処理機構による後処理を施した後に、前記後処理機構に記録材を搬送して後処理機構による後処理を施すように、記録材を搬送制御する搬送制御手段とを備えることを特徴とする記録材後処理装置である。
【０００６】
請求項３に係る発明は、請求項１又は２に係る記録材後処理装置において、追加後処理機構は画像形成装置筐体又は後処理装置筐体に着脱自在な追加付属装置に組み込まれていることを特徴とする記録材後処理装置である。
請求項４に係る発明は、請求項１又は２に係る記録材後処理装置において、追加後処理機構は画像形成装置筐体又は後処理装置筐体の外側に配置され、搬送制御手段は一方の分岐搬送路に記録材を搬送した後、画像形成装置筐体又は後処理装置筐体の外部に記録材の一部を排出した状態で保持し、追加後処理機構による後処理を施すことを特徴とする記録材後処理装置である。
請求項５に係る発明は、請求項１に係る記録材後処理装置において、画像形成装置筐体は外側に突出し且つ排出される記録材が収容される記録材収容受けを有し、追加後処理機構は画像形成装置筐体の外側で且つ前記記録材収容受けの上方に配置されることを特徴とする記録材後処理装置である。
請求項６に係る発明は、請求項１又は２に係る記録材後処理装置において、少なくとも前記後処理機構が組み込まれる後処理装置筐体は、画像形成装置筐体に設けられた凹所からなる記録材排出部上に設置されていることを特徴とする記録材後処理装置である。
【０００７】
請求項７に係る発明は、請求項１又は２に係る記録材後処理装置において、後処理装置筐体には更に別の拡張後処理機構が組み込まれた拡張付属装置を着脱自在に設けたことを特徴とする記録材後処理装置である。
請求項８に係る発明は、請求項３に係る記録材後処理装置において、追加付属装置は、追加後処理機構へ記録材が位置合わせされた状態で搬送可能な位置合わせ搬送部材を有することを特徴とする記録材後処理装置である。
請求項９に係る発明は、請求項１又は２に係る記録材後処理装置において、搬送制御手段は、追加後処理機構による後処理を施した記録材の後端が分岐搬送路の分岐点を超えて後処理機構側の分岐搬送路に到達した後に、後続する記録材を、追加後処理機構側の分岐搬送路に導くように搬送することを特徴とする記録材後処理装置である。
【０００８】
請求項１０に係る発明は、記録材に画像を形成する画像形成装置と、この画像形成装置にて画像形成された記録材に後処理を施す記録材後処理装置とを備え、前記画像形成装置は二股に分岐して記録材が排出可能に搬送される分岐搬送路、これらの分岐搬送路に設けられる正逆回転可能な搬送部材及び前記分岐搬送路を切り替える切替手段を有し、前記記録材後処理装置は、画像形成装置の一方の分岐搬送路から搬送される記録材に対して所定の後処理を施す後処理機構と、画像形成装置の他方の分岐搬送路から搬送される記録材に対して前記後処理機構とは別の追加した後処理を施す追加後処理機構と、後処理として、後処理機構による後処理、追加後処理機構による後処理又は後処理機構及び追加後処理機構による両方の後処理のいずれかを選択する操作部と、この操作部により、前記後処理機構による後処理が選択されたときには前記切替手段にて前記一方の分岐搬送路に記録材を導いてそのまま前記後処理機構まで搬送して前記後処理機構による後処理を施し、前記追加後処理機構による後処理が選択されたときには前記切替手段にて前記一方の分岐搬送路に記録材を一旦導いた後に停止させ且つ切替手段にて両方の分岐搬送路をつなげるように切替えて追加後処理機構まで記録材を搬送して前記追加後処理機構による後処理を施し、前記後処理機構及び追加後処理機構による両方の後処理が選択されたときには前記切替手段にて前記一方の分岐搬送路に記録材を一旦導いた後に停止させ且つ切替手段にて両方の分岐搬送路をつなげるように切替えて追加後処理機構まで記録材を搬送して前記追加後処理機構による後処理を施した後に、前記後処理機構に記録材を搬送して後処理機構による後処理を施すように、記録材を搬送制御する搬送制御手段とを備えることを特徴とする記録材処理装置である。
請求項１１に係る発明は、記録材に画像を形成する画像形成装置と、この画像形成装置にて画像形成された記録材に後処理を施す記録材後処理装置とを備え、前記記録材後処理装置は、二股に分岐して記録材が搬送される分岐搬送路、これらの分岐搬送路に設けられる正逆回転可能な搬送部材及び前記分岐搬送路を切り替える切替手段を有する後処理装置筐体と、一方の分岐搬送路に搬送される記録材に対して所定の後処理を施す後処理機構と、他方の分岐搬送路に搬送される記録材に対して前記後処理機構とは別の追加した後処理を施す追加後処理機構と、後処理として、後処理機構による後処理、追加後処理機構による後処理又は後処理機構及び追加後処理機構による両方の後処理のいずれかを選択する操作部と、この操作部により、前記後処理機構による後処理が選択されたときには前記切替手段にて前記一方の分岐搬送路に記録材を導いてそのまま前記後処理機構まで搬送して前記後処理機構による後処理を施し、前記追加後処理機構による後処理が選択されたときには前記切替手段にて前記一方の分岐搬送路に記録材を一旦導いた後に停止させ且つ切替手段にて両方の分岐搬送路をつなげるように切替えて追加後処理機構まで記録材を搬送して前記追加後処理機構による後処理を施し、前記後処理機構及び追加後処理機構による両方の後処理が選択されたときには前記切替手段にて前記一方の分岐搬送路に記録材を一旦導いた後に停止させ且つ切替手段にて両方の分岐搬送路をつなげるように切替えて追加後処理機構まで記録材を搬送して前記追加後処理機構による後処理を施した後に、前記後処理機構に記録材を搬送して後処理機構による後処理を施すように、記録材を搬送制御する搬送制御手段とを備えることを特徴とする記録材処理装置である。
【発明の効果】
【０００９】
請求項１に係る発明によれば、後処理機能の追加及び当初の後処理機能との組合せを簡単に実現することができる。
請求項２に係る発明によれば、記録材後処理装置単独で、後処理機能の追加及び当初の後処理機能との組合せを実現することができる。
請求項３に係る発明によれば、後処理機能の追加をより簡単に構築することができる。
請求項４に係る発明によれば、追加後処理機構を画像形成装置筐体等の外側に配置する場合であっても、追加後処理機構による後処理を有効に実現することができる。
請求項５に係る発明によれば、記録材収容受けが占有するスペースを追加後処理機構の設置スペースとして有効に利用することができる。
請求項６に係る発明によれば、記録材後処理装置の設置スペースを最小限に抑えることができる。
【００１０】
請求項７に係る発明によれば、記録材後処理装置による後処理機能をより多く扱うことができる。
請求項８に係る発明によれば、追加後処理機構による後処理を精度良く行うことができる。
請求項９に係る発明によれば、連続する記録材に対して効率的に追加後処理、通常後処理を施すことができる。
請求項１０に係る発明によれば、後処理機能の追加及び当初の後処理機能との組合せを簡単に実現可能な記録材処理装置を提供することができる。
請求項１１に係る発明によれば、記録材後処理装置単独で後処理機能の追加及び当初の後処理機能との組合せを実現可能な記録材処理装置を提供することができる。
【発明を実施するための最良の形態】
【００１１】
◎実施の形態の概要
先ず、本発明が適用される実施の形態の概要について説明する。
図１は本発明を具現化する実施の形態の代表モデル１に係る記録材処理装置の概要を示す。
同図において、記録材処理装置は、記録材Ｓに画像を形成する画像形成装置１０と、この画像形成装置１０にて画像形成された記録材Ｓに後処理を施す記録材後処理装置１とを備えている。
本実施の形態の代表モデルにおいて、画像形成装置１０は画像形成装置筐体１１内に画像形成部１２を内蔵したものであれば、その画像形成方式は電子写真方式を始め、インクジェット方式など適宜選定して差し支えない。また、画像形成装置１０としては画像形成装置筐体１１の上方に凹所１４を介して画像読取部１５を配置した態様に限られるものではなく、画像読取部１５のない態様をも含む。
ここで、画像形成装置１０の設置空間を有効に利用し、記録材後処理装置１を配設する態様としては、画像形成装置筐体１１の上部に記録材後処理装置１の後処理装置筐体２を配置し、画像形成装置筐体１１の設置スペース内にて画像形成部１２で形成された作像済み記録材Ｓを記録材後処理装置１に導くようにしたものが挙げられる。
尚、本実施の形態において、記録材Ｓとは画像を形成し得るものであればよく、用紙は勿論、コート層が設けられた特殊紙、更にはＯＨＰシートなどを広く含む。
【００１２】
また、本実施の形態の代表モデル１においては、画像形成装置１０は二股に分岐して記録材Ｓが排出可能に搬送される分岐搬送路６（例えば６ａ，６ｂ）を有している。この分岐搬送路６（６ａ，６ｂ）は分岐前の記録材搬送路に対して略Ｔ字状に繋がっており、分岐点には分岐搬送路６を切り替えるための切替手段６ｃが設けられることが多い。
一方、記録材後処理装置１としては、画像形成装置１０の一方の分岐搬送路６（例えば６ａ）から搬送される記録材Ｓに対して所定の後処理を施す後処理機構３と、画像形成装置１０の他方の分岐搬送路６（例えば６ｂ）から搬送される記録材Ｓに対して後処理機構３とは別の追加した後処理を施す追加後処理機構４と、この追加後処理機構４による後処理を施した後に後処理機構３による後処理を施すように記録材Ｓを搬送制御する搬送制御手段５とを備えたものが挙げられる。
【００１３】
また、実施の形態の代表モデル２の記録材処理装置は、図２に示すように、実施の形態の代表モデル１と略同様で、記録材Ｓに画像を形成する画像形成装置１０と、この画像形成装置１０にて画像形成された記録材Ｓに後処理を施す記録材後処理装置１とを備えている。
但し、本代表モデル２では、代表モデル１と異なり、画像形成装置１０側に二股に分岐した分岐搬送路は特に必要ではなく、記録材後処理装置１は、二股に分岐して記録材Ｓが搬送される分岐搬送路６（例えば６ａ，６ｂ）を有する後処理装置筐体２と、一方の分岐搬送路６（例えば６ａ）に搬送される記録材Ｓに対して所定の後処理を施す後処理機構３と、他方の分岐搬送路６（例えば６ｂ）に搬送される記録材Ｓに対して前記後処理機構３とは別の追加した後処理を施す追加後処理機構４と、この追加後処理機構４による後処理を施した後に後処理機構３による後処理を施すように記録材Ｓを搬送制御する搬送制御手段５とを備えるものである。
そして、代表モデル２の記録材処理装置は、主として画像形成装置１０に付設されるものを対象とするが、画像形成装置１０とは別個独立に設けられるものをも対象とする。
【００１４】
このような技術的手段において、分岐搬送路６（６ａ，６ｂ）は画像形成装置１０（具体的には画像成形装置筐体１１）や記録材後処理装置１（具体的には後処理装置筐体２）に設けられるが、もともと設けられていればそれを利用すればよいし、あるいは、追加後処理機構４を設ける際に、新たに分岐搬送路６を付加するようにしても差し支えない。
また、後処理機構３としては後処理機構は一つに限られず、複数あってもよい。ここでいう後処理機構は標準装備されたものであればよく、端綴じ機構、中綴じ機構など適宜選定して差し支えない。
更に、追加後処理機構４も一つに限られず、複数あってもよい。ここでいう追加後処理機構４は、後処理機構３とは別で後処理機能として追加したいものであれば適宜選定して差し支えない。例えば後処理機構３が端綴じ機構や中綴じ機構である場合に、追加したい機能として例えば中すじ機構や孔開け機構等が挙げられる。
更にまた、後処理機構３と追加後処理機構４とは二股の分岐搬送路６を挟んで夫々配置されるものであれば適宜選定して差し支えない。
また、搬送制御手段５としては、記録材Ｓに対して追加後処理機構４による後処理を施すに当たり、追加後処理機構４につながる分岐搬送路６（例えば６ｂ）に記録材Ｓを直接導くようにしてもよいし、あるいは、一旦一方の分岐搬送路６（例えば６ａ）に記録材Ｓを導いた後にスイッチバック動作にて他方の分岐搬送路６（例えば６ｂ）に導くようにしてもよい。
【００１５】
また、追加後処理機構４の組み込みを簡略化するという観点からすれば、画像形成装置筐体１１又は後処理装置筐体２に着脱自在な追加付属装置７に追加後処理機構４が組み込まれている態様が好ましい。
更に、追加後処理機構４のレイアウトについては適宜選定して差し支えないが、例えば追加後処理機構４が画像形成装置筐体１１又は後処理装置筐体２の外側に配置される態様にあっては、搬送制御手段５は一方の分岐搬送路６（例えば６ａ）に記録材Ｓを搬送した後、画像形成装置筐体１１又は後処理装置筐体２の外部に記録材Ｓの一部を排出した状態で保持し、追加後処理機構４による後処理を施すようにすることが好ましい。
更にまた、画像形成装置筐体１１に外側に突出し且つ排出される記録材Ｓが収容される記録材収容受け１３を有する態様にあっては、記録材収容受け１３の外部突出スペースはもともと画像形成装置１０の設置スペースとして確保しなければならないため、追加後処理機構４の設置スペースを不必要に広げないという観点からすれば、画像形成装置筐体１１の外側で且つ記録材収容受け１３の上方に追加後処理機構４が配置される態様が好ましい。
【００１６】
また、画像形成装置筐体１１に凹所１４からなる記録材排出部を備えた態様にあっては、記録材後処理装置１の設置スペースを不必要に広げないという観点からすれば、凹所１４からなる記録材排出部を利用して記録材後処理装置１を組み付けるようにすることが好ましい。
更に、記録材後処理装置１の後処理機能を拡張する場合には、後処理装置筐体２に更に別の拡張後処理機構８ａが組み込まれた拡張付属装置８を着脱自在に設けるようにすればよい。本態様では、二股に分岐した分岐搬送路６（６ａ，６ｂ）に限らず、これ以外の搬送路に対しても拡張付属装置８を設けるようにしてもよい。
更にまた、追加付属装置７の好ましい態様として、追加後処理機構４による後処理精度をより良好に保つという観点からすれば、追加後処理機構４へ記録材Ｓが位置合わせされた状態で搬送可能な位置合わせ搬送部材９を有する態様が挙げられる。
また、搬送制御手段５の好ましい態様としては、二股に分離した分離搬送路６（６ａ，６ｂ）を所謂バッファパスとして利用する記録材Ｓの搬送シーケンスを構築するものが挙げられる。この種の搬送シーケンスとしては、追加後処理機構４による後処理を施した記録材Ｓの後端が分岐搬送路６の分岐点を超えて後処理機構３側の分岐搬送路６（例えば６ａ）に到達した後に、後続する記録材Ｓを、追加後処理機構４側の分岐搬送路６（例えば６ｂ）に導くように搬送すればよい。
【００１７】
以下、添付図面に示す実施の形態に基づいてこの発明をより詳細に説明する。
◎実施の形態１
図３は本発明が適用される記録材処理装置の実施の形態１を示す。
―記録材処理装置の概要―
本実施の形態において、記録材処理装置２０は、図２に示すように、記録材Ｓに画像を形成する画像形成装置２１と、この画像形成装置２１に予め着脱可能に組み付けられ且つ記録済みの記録材Ｓに対し所定の後処理が施される記録材後処理装置２２とを備えている。
そして、本実施の形態では、画像形成装置２１は、画像形成部４０が内蔵された画像形成装置筐体（以下装置筐体という）３０を有し、この装置筐体３０の上部の幅方向一側に上方に突出する突出部３１を設けると共に、この装置筐体３０の突出部３１の上方に画像読取装置３２を配設し、この画像読取装置３２と装置筐体３０の突出部３１以外の頂部との間に胴内空間部としての凹所３３を確保したものである。尚、画像読取装置３２の配設態様としては、例えば装置筐体３０とは別途の支持台（図示せず）上に画像読取装置３２を直接置くようにしてもよいし、あるいは、装置筐体３０に直接設けるようにしてもよい。また、画像読取装置３２は画像読取り面に原稿を自動的に供給する自動原稿供給機構３５を備えている。
これに対し、記録材後処理装置２２は、後処理のための記録材Ｓが搬送される後処理装置筐体１００を有し、画像形成装置２１の胴内空間部３３に後処理装置筐体１００を収容すると共に、後処理装置筐体１００の一部には胴内空間部３３から装置筐体３０の外部に若干突出する記録材排出部１０１を突出形成したものである。
【００１８】
―画像形成装置―
図３において、画像形成装置２１は、装置筐体３０内部に画像形成部４０を配設し、この画像形成部４０の下部には例えば一つの記録材供給装置５０を設ける一方、この記録材供給装置５０から画像形成部４０には略鉛直方向に延びる記録材搬送路５１を設けたものである。
ここで、画像形成部４０は、例えば電子写真方式を採用したものであって、トナー像を形成保持する感光体ドラム４１と、この感光体ドラム４１を帯電する帯電ロール等の帯電装置４２と、帯電された感光体ドラム４１に潜像を形成するレーザー走査装置などの露光装置４３と、感光体ドラム４１上に形成された静電潜像を現像して可視像化する現像装置４４と、感光体ドラム４１上のトナー像を記録材供給装置５０から供給された記録材Ｓ上に転写する転写ロール等の転写装置４５と、感光体ドラム４１上の残留トナーを清掃する清掃装置４６とを主要部として備えている。
【００１９】
また、記録材供給装置５０は記録材Ｓが堆積収容される容器５０１を有し、容器５０１内の記録材Ｓをフィーダ５０２にて一枚ずつ分離しながら供給するようになっている。
更に、記録材搬送路５１のうち画像形成部４０の転写部位上流側には記録材Ｓを一旦位置合わせした後に搬送する位置合わせロール５５が設けられ、記録材搬送路５１のうち画像形成部４０の転写部位下流側には定着装置５６が配設されている。
また、この記録材搬送路５１の定着装置５６の下流側には記録材後処理装置２２側及び装置筐体３０の外部に夫々向かう分岐搬送路５２（具体的には５２ａ，５２ｂ）が設けられており、記録材搬送路５１と分岐搬送路５２との境界部には切替爪５３が設けられ、更に、一方の分岐搬送路５２（例えば５２ａ）の下流端近傍には排出ロール５８が設けられている。更にまた、記録材搬送路５１の定着装置５６の下流側には装置筐体３０の外部につながる分岐排出路６０が設けられており、この分岐排出路６０の出口近傍の装置筐体３０の外側には記録材収容受け６１が外方に突出して設けられている。尚、符号６２は記録材排出受け６１への排出ロール、６３は記録材搬送路５１に設けられる適宜数の搬送ロール若しくはこれに相当する搬送部材である。
【００２０】
―記録材後処理装置（標準装備態様）―
図３は画像形成装置２１に組み付けられた標準装備態様の記録材後処理装置２２の概要を示し、図４はその詳細を示す。
同図において、後処理装置筐体１００は画像形成装置２１の胴内空間部３３に挿入配置されており、その先端部が突出部３１の胴内空間部３３側面に接触するように配置されている。そして、この後処理装置筐体１００には画像形成装置２１の分岐搬送路５２に通じた箇所に入口開口を有して横方向に延びる記録材搬送路１１０が設けられている。
更に、本実施の形態では、記録材搬送路１１０には搬送ロール１１６が設けられると共に、記録材搬送路１１０の搬送ロール１１６の下方には複数の記録材Ｓを一時的に位置決め収容する位置決め収容受け１５０が設けられている。
そして更に、後処理装置筐体１００には位置決め収容受け１５０に収容された記録材Ｓ束を記録材排出部１０１に排出搬送する排出ロール１１７が設けられている。
また、記録材搬送路１１０の下方には位置決め収容受け１５０に位置決めされた記録材Ｓの端部を綴じる後処理機構としての端綴じ機構１７０が配設されている。
【００２１】
―位置決め収容受け―
本実施の形態で用いられる位置決め収容受け１５０を図４に示す。
図４（ａ）（ｂ）において、位置決め収容受け１５０は、記録材搬送路１１０の搬送ロール１１６から排出された記録材Ｓが自然落下可能な程度に記録材Ｓの排出方向と逆側を下方して傾斜配置されており、その下端部に位置決め部としての位置決め壁１５１を形成すると共に、この位置決め壁１５１に隣接した側縁にも位置決め部としての側縁位置決め壁１５２を形成したものである。
また、位置決め収容受け１５０の位置決め壁１５１近傍には複数(本例では三つ)の回転揃え部材１５３が設けられると共に、側縁位置決め壁１５２に対向した部位には記録材Ｓを押し付ける押し揃え部材１５６が設けられる。
本実施の形態において、回転揃え部材１５３は回転軸１５４の周囲に複数の弾性羽根１５５を径方向に配置したものであり、回転動作時に弾性羽根１５５を弾性変形させながら位置決め収容受け１５０に置かれた記録材Ｓを位置決め壁１５１に向けて揃えるものである。
また、押し揃え部材１５６は、記録材Ｓのサイズに応じて図示外の駆動機構にて所定位置に移動配置され、付勢ばね１５８にて付勢される押し板１５７にて側縁位置決め壁１５２側に記録材Ｓを押し付けるものである。
【００２２】
―排出ロール―
また、本実施の形態で用いられる排出ロール１１７の支持構造を図５に示す。
図５（ａ）（ｂ）において、排出ロール１１７の支持構造は、位置が固定された支持軸に回転駆動される駆動ロール１６１と、この駆動ロール１６１に対して接離自在で且つ駆動ロール１６１との間で記録材Ｓ束を挟持する際に駆動ロール１６１に対して従動回転する接離ロール１６２とを備えている。
このとき、接離ロール１６２には接離機構１６３が設けられている。この接離機構１６３としては、例えば駆動アクチュエータ１６４の直線移動する作動棒１６５に一端が連結された連結部材１６６を回転軸１６７を中心に回転自在に設け、この連結部材１６６の回転軸１６７の回転移動に伴って回転する腕部材１６８にて前記接離ロール１６２を駆動ロール１６１から離間する方向に移動させる方式が採用されている。尚、接離ロール１６２は図示外の付勢ばねにて駆動ロール１６１側に所定の押し付け力にて付勢されている。
このような位置決め収容受け１５０及び排出ロール１１７にあっては、例えば位置決め収容受け１５０に記録材Ｓが収容される過程においては、図４（ａ）に示すように、排出ロール１１７の接離ロール１６２が駆動ロール１６１から離間配置されており、搬送ロール１１６から排出された記録材Ｓは、Ｐ１に示すように移動した後、記録材Ｓの後端が搬送ロール１１６から離れた時点で落下し、位置決め収容受け１５０に沿ってＰ２に示す方向に移動していき、回転揃え部材１５３及び押し揃え部材１５６にて位置決め収容受け１５０に位置決め収容される。
この後、後述する端綴じ機構１７０にて端綴じ処理が行われると、排出ロール１１７が記録材Ｓを挟持搬送し、端綴じ済みの記録材Ｓ束は、Ｐ３の方向に向かって搬送される。
【００２３】
―端綴じ機構―
本実施の形態で用いられる端綴じ機構１７０の詳細を図６，図７に示す。
本実施の形態において、端綴じ機構１７０は、図６に示すように、記録材Ｓの一角部を綴じるコーナ用端綴じ機構１７０ａと、主として記録材Ｓの一側縁部を綴じる側縁用端綴じ機構１７０ｂとを備えており、これらの端綴じ機構１７０（１７０ａ，１７０ｂ）は案内軌道１７１に沿って移動可能に設けられ、駆動機構１７５（例えば駆動ベルトに追従して移動する機構などを使用）にて適宜位置まで移動するようになっている。尚、本実施の形態では、案内軌道１７１は記録材Ｓの一角部に対応した部位に円弧状の湾曲軌道部１７２と記録材Ｓの一側縁に沿って直線軌道部１７３とを有している。
特に、本実施の形態では、コーナ用端綴じ機構１７０ａは初期位置として湾曲軌道部１７２に対応して配置されており、側縁用端綴じ機構１７０ｂは初期位置として直線軌道部１７３のうち湾曲軌道部１７２から離間した部位に配置されている。
そして、例えば記録材Ｓの一側縁を二箇所で綴じる端綴じ二箇所モードの場合には、記録材Ｓのサイズに合わせた位置に側縁用端綴じ機構１７０ｂを順次移動させて二箇所に端綴じするようにしてもよいし、あるいは、コーナ用端綴じ機構１７０ａと側縁用端綴じ機構１７０ｂとを共に用いて二箇所に端綴じするようにしてもよく、適宜設計変更して差し支えない。
【００２４】
また、端綴じ機構１７０の構成例を図７を用いて示す。
本実施の形態において、端綴じ機構１７０は、位置決め収容受け１５０の位置決め壁１５１側の図示外の切欠に対応した箇所に移動可能に配置される。
この端綴じ機構１７０の基本構成は、図７（ａ）に示すように、支持台としての下容器１８１に可動腕１８２の基端を回動軸１８３にて回転可能に支持し、前記可動腕１８２にはこの可動腕１８２と同軸に且つ図示外の付勢ばねにて可動腕１８２側に付勢される上容器１８４を設け、この上容器１８４内に綴じ針収納部１８５を設けると共に、前記可動腕１８２の先端には綴じ針１９０打ち込み用の打ち込み機構１８６を設け、駆動モータ１８７の駆動力を駆動伝達機構１８８（例えばベルト、偏心部材などを使用）を介して可動腕１８２に伝達することにより、端綴じ動作時に、可動腕１８２を下方に移動させ、図７（ｂ）（ｃ）に示すように、下容器１８１と上容器１８４との間に記録材Ｓ束を挟持した状態で、可動腕１８２と共に降下する打ち込み機構１８６にて綴じ針１９０を記録材Ｓ束の端部に打ち込むようにしたものである。尚、符号１９１は支持台としての下容器１８１の記録材Ｓ側の先端部に設けられた記録材有無検出器であり、例えば反射型の光学素子を用いて構成されている。
【００２５】
―追加付属装置―
また、本実施の形態では、図８に示すように、画像形成装置２１の装置筐体３０の突出部３１外側には追加付属装置３００が着脱自在に設けられている。
本実施の形態では、追加付属装置３００は追加付属筐体３０１内に記録材搬送路３０２を形成し、この記録材搬送路３０２の一部に追加後処理機構としての孔開け機構３３０を配設したものである。
本実施の形態では、追加付属筐体３０１の装置筐体３０への取付面上部に複数（本例では２つ）の引っ掛け片３１０が突出形成されており、追加付属筐体３０１の取付面下部にはネジなどの止め具が保持可能な取付片３１５が設けられる一方、この追加付属筐体３０１が取り付けられる装置筐体３０には前記引っ掛け片３１０が挿入されて引っ掛かる支持孔３２０が開設されると共に、前記取付片３１５に対応した部位に取付孔３２５が設けられている。
尚、追加付属筐体３０１には記録材Ｓを受け入れるための受入口３０３が開設されている。
【００２６】
特に、本実施の形態では、追加付属筐体３０１の引っ掛け片３１０は、支持孔３２０への挿入方向に突出する挿入片３１１と、この挿入片３１１の先端部に設けられ且つ挿入片３１１より断面積が大きく形成される抜け止め頭部３１２とを備えている。これに対し、装置筐体３０の支持孔３２０は、前記引っ掛け片３１０が挿入可能な例えば矩形状の挿入孔部３２１と、この挿入孔部３２１の一側方に隣接して設けられて前記挿入片３１１が嵌合可能で且つ挿入片３１１が嵌合した状態で抜け止め頭部３１２が離脱不能に掛け止められる掛け止め孔部３２２とを備えている。
よって、本実施の形態では、装置筐体３０に追加付属装置３００を装着する場合には、装置筐体３０の支持孔３２０に追加付属筐体３０１の引っ掛け片３１０を挿入した後に横方向に摺動させ、この状態で、装置筐体３０の取付孔３２５に追加付属筐体３０１の取付片３１５に保持された止め具（図示せず）を取り付け固定するようにすればよい。このとき、追加付属筐体３００の引っ掛け片３１０は装置筐体３０の支持孔３２０に外れることなく掛け止められることから、追加付属装置３００は装置筐体３０に外れることなく固定される。
尚、装置筐体３０から追加付属装置３００を取り外す場合には、図示外の止め具を取り外した後に装置筐体３０に対して追加付属筐体３０１を横方向に少し移動させ、支持孔３２０に対する引っ掛け片３１０の掛け止め状態を解除した上で、装置筐体３０から追加付属装置３００を取り外すようにすればよい。
【００２７】
―孔開け機構―
本実施の形態で用いられる孔開け機構３３０を図１０に示す。
図１０（ａ）において、孔開け機構３３０は、記録材搬送路３０２を挟んで上側に保持部材３３１を配設すると共に、記録材搬送路３０２の下側に受け台３３８を設け、前記保持部材３３１には貫通孔３３２を開設し、この貫通孔３３２に対して孔開け棒３３３を出没自在に設けると共に、この孔開け棒３３３を付勢ばね３３４にて上方向に付勢し、更に、駆動モータ３３５からの回転に応じて偏心回転する偏心部材３３６の偏心軌跡周面を前記孔開け棒３３３の頂部に押し付け、偏心部材３３６の回転に応じて孔開け棒３３３を付勢ばね３３４に抗して上下動させるようになっている。尚、受け台３３８には孔開け棒３３３に対応した受け孔３３９が設けられている。
また、本実施の形態では、記録材搬送路３０２のうち孔開け機構３３０の上流側には位置合わせロール３４０が正逆回転可能に設けられており、記録材搬送路３０２の位置合わせロール３４０の上流側には位置検出器３４５が設けられている。
そして、本実施の形態における孔開け機構３３０による孔開け処理は、例えば記録材搬送路３０２の位置検出器３４５にて記録材Ｓの先端位置を検出した時点を基準とし、位置合わせロール３４０を一旦停止させた状態で記録材Ｓの端部を突き当て、記録材Ｓのスキュー姿勢を補正した後、この位置合わせロール３４０の回転量を制御することで所定の孔開け位置に到達した時点で再度位置合わせロール３４０を停止させ、孔開け棒３３３による孔開け動作を行わせるものである。そして、孔開け棒３３３による孔開けが完了した段階で前記位置合わせロール３４０を逆方向に回転させることで記録材Ｓを孔開け機構３３０から離間する元の方向へと搬送するようになっている。
【００２８】
―制御系―
図１１は本実施の形態で用いられる記録材処理装置の制御系を示す。
同図において、画像形成装置２１は、記録材Ｓのサイズ、部数、孔開け処理の有無、綴じモードの有無などを操作する操作部４００と、この操作部４００からの情報に基づいて各動作対象物（モータ・検出器等）４２０を制御する制御装置４１０とを備えている。
また、記録材後処理装置２２は、画像形成装置２１の制御装置４１０との間で相互にやりとりする制御装置４３０を有し、この制御装置４３０にて各動作対象物（モータ・検出器等）４４０を制御することに加えて、切替爪５３の切替処理、各後処理機構としての孔開け機構３３０、端綴じ機構１７０の後処理、並びに、位置決め収容受け１５０での記録材位置決め処理などを制御するものである。
【００２９】
―記録材処理装置の作動―
次に、本実施の形態で用いられる追加付属装置３００を装備した記録材処理装置の作動について説明する。
本実施の形態において、画像形成装置２１の制御装置４１０及び記録材後処理装置２２の制御装置４３０は、図１２に示すように、後処理の有無について判断し、後処理として端綴じモードはあるか、孔開けモードはあるかを判断し、後処理のない場合には通常モードを実行し、また、後処理のモードに応じて、孔開けモード及び端綴じモード、端綴じモード（孔開けなし）、あるいは、孔開けモード（端綴じなし）を実行する。
【００３０】
―通常モード―
今、記録材処理装置が通常モードで実行されている場合について説明すると、例えば図３及び図８に示すように、記録材供給装置５０から供給された記録材Ｓに画像形成部４０により画像が形成されると、作像済みの記録材Ｓは定着装置５６を経て分岐搬送路５２ｂを経由して記録材収容受け６１に排出収容される。
また、本実施の形態では、通常モード時には記録材収容受け６１に記録材Ｓを排出するようにしているが、例えば記録材後処理装置２２で後処理を施さない状態で記録材排出部１０１に排出収容するようにしてもよい。
この場合、画像形成部４０にて作像済みの記録材Ｓは分岐搬送路５２ａを経由して記録材後処理装置２２の記録材搬送路１１０に導かれた後、搬送ロール１１６を経て位置決め収容受け１５０にて位置決めされた後に排出ロール１１７を経て記録材排出部１０１に搬送排出される。
【００３１】
―孔開けモード及び端綴じモード―
次に、記録材処理装置が孔開けモード及び端綴じモードの両方を実行する場合について説明する。
今、画像形成装置２１の操作部４００にて孔開けモード及び端綴じモードが選択されたとすると、切替爪５３が図１３（ａ）に示すＡ位置に切り替わり、一方の分岐搬送路５２ａを選択する。
この状態において、記録材供給装置５０から供給された記録材Ｓに画像形成部４０により画像が形成されると、図１３（ａ）（ｂ）にＰ１，Ｐ２で示すように、作像済みの記録材Ｓは定着装置５６を経て分岐搬送路５２ａ側に導かれ、記録材Ｓの後端が分岐搬送路５２の分岐点を超えた条件下で記録材Ｓは排出ロール５８にニップした状態で一旦停止する。
この後、排出ロール５８は逆方向に回転すると共に、切替爪５３がＢ位置に切り替わって両方の分岐搬送路５２（５２ａ，５２ｂ）をつなげる位置に変化することになり、一方の分岐搬送路５２ａに導かれた記録材Ｓは、図１３（ｂ）にＰ３で示すように、スイッチバック動作にて他方の分岐搬送路５２ｂに搬送された後、追加付属装置３００へと搬送されていく。
しかる後、追加付属装置３００では、記録材Ｓの進行方向端部に対して孔開け機構３３０による孔開け処理が施される。そして、孔開け処理が施された記録材Ｓは追加付属装置３００から元の分岐搬送路５２ｂ、５２ａへと戻され、図１３（ｂ）にＰ４で示すように、記録材後処理装置２２の後処理装置筐体１００の記録材搬送路１１０へと導かれる。
そして、記録材Ｓが搬送ロール１１６を通過すると、位置決め収容受け１５０にて位置決めされ、この状態で、端綴じ機構１７０による端綴じ処理が行われる。この後、排出ロール１１７にて位置決め収容受け１５０から記録材Ｓが記録材排出部１０１に搬送排出される。
【００３２】
―端綴じモード（孔開けなし）―
また、画像形成装置２１の操作部４００にて端綴じモード（孔開けなし）が選択されると、切替爪５３が一方の分岐搬送路５２ａを選択するようにＡ位置に切り替わり、画像形成部４０にて作像済みの記録材Ｓは定着装置５６を経た後、一方の分岐搬送路５２ａを経由して記録材後処理装置２２へと導かれる。
しかる後、記録材Ｓは、図１３（ｂ）にＰ４，Ｐ５で示すように、位置決め収容受け１５０にて位置決めされた後に、端綴じ機構１７０による端綴じ処理が行われ、排出ロール１１７にて記録材排出部１０１に搬送排出される。
【００３３】
―孔開けモード（端綴じなし）―
更に、画像形成装置２１の操作部４００にて孔開けモード（端綴じなし）が選択されると、図１３（ａ）にＰ１，Ｐ２で示すように、切替爪５３が一方の分岐搬送路５２ａを選択するようにＡ位置に切り替わり、画像形成部４０にて作像済みの記録材Ｓは定着装置５６を経た後、一方の分岐搬送路５２ａを経由して一旦排出ロール５８にニップされた状態で停止する。
しかる後、排出ロール５８は逆方向に回転すると共に、切替爪５３がＢ位置に切り替わって両方の分岐搬送路５２（５２ａ，５２ｂ）をつなげる位置に変化することになり、一方の分岐搬送路５２ａに導かれた記録材Ｓは、図１３（ｂ）にＰ３で示すように、スイッチバック動作にて他方の分岐搬送路５２ｂに搬送された後、追加付属装置３００へと搬送されていき、孔開け機構３３０による孔開け処理が行われる。
この後、孔開けされた記録材Ｓは、追加付属装置３００から元の分岐搬送路５２（５２ａ，５２ｂ）を経由して記録材後処理装置２２側に導かれる。そして、位置決め収容受け１５０にて位置決めされた後に、端綴じ機構１７０による端綴じ処理を行うことなく、排出ロール１１７にて記録材排出部１０１へと搬送排出される。
【００３４】
本実施の形態では、記録材後処理装置２２は、図８に示すように、追加付属装置３００を装備した態様について説明したが、例えば追加付属装置３００を不要とするユーザーにあっては、図３に示すように、追加付属装置３００を取り外した状態の標準装備態様の記録材後処理装置２２を使用し、後処理として端綴じ機構１７０による端綴じ処理を行うようにすればよい。
このことは以下の実施の形態でも同様である。
【００３５】
◎実施の形態２
図１４は実施の形態２に係る記録材処理装置の概要を示す。
同図において、記録材処理装置２０は、実施の形態１と略同様に、記録材Ｓに画像を形成する画像形成装置２１と、この画像形成装置２１にて画像形成された記録材Ｓに対して所定の後処理を施す後処理記録装置２２とを備えている。
本実施の形態では、画像形成装置２１は、実施の形態１と異なり、装置筐体３０の記録材搬送路５１の途中から分岐する一つの分岐搬送路６５を有し、記録材搬送路５１の出口及び分岐搬送路６５の出口には夫々排出ロール６６，６７を設け、分岐搬送路６５を経由して記録材後処理装置２２へと導き、記録材搬送路５１を経由して記録材後処理装置２２の後処理装置筐体１００の頂部に設けられた記録材排出部１０２へ記録材Ｓを導くものである。
一方、標準装備態様の記録材後処理装置２２は、画像形成装置２１の装置筐体３０の凹所３３に収容される後処理装置筐体１００を有しているが、この後処理装置筐体１００は凹所３３の略横方向に延びる横方向筐体１０３と、この横方向筐体１０３のうち凹所３３の外側寄りの一部にて上方に突出する突出筐体１０４とを具備し、横方向筐体１０３のうち凹所３３の外側端部には記録材Ｓが搬送排出可能な記録材収容受け１０５を配設したものである。
【００３６】
そして、この後処理装置筐体１００内には記録材搬送路１１０が設けられ、この記録材搬送路１１０は前記突出筐体１０４付近で二股に分岐した分岐搬送路１２０（例えば１２０ａ，１２０ｂ）になっており、一方の分岐搬送路１２０ａは突出筐体１０４のうち凹所３３の外側に向かって（図中右方向）延びており、この分岐搬送路１２０ａには搬送ロール１１５，１１６が設けられている。また、他方の分岐搬送路１２０ｂは突出筐体１０４のうち凹所３３の内側に向かって（図中左方向）に延びており、突出筐体１０４の外側面に面した位置まで設けられている。そして、この分岐搬送路１２０の分岐点には切替爪１２１が設けられ、一方の分岐搬送路１２０ａを選択する位置（Ａ位置）と両方の分岐搬送路１２０ａ，１２０ｂをつなげる位置（Ｂ位置）とに切り替えられるようになっている。
そして、上記突出筐体１０４の一方の分岐搬送路１２０ａの下方には位置決め収容受け１５０が配設されると共に、この位置決め収容受け１５０に位置決めされた記録材Ｓの端部に対して端綴じする端綴じ機構１７０が設けられ、位置決め収容受け１５０に位置決めされた記録材Ｓは排出ロール１１７を介して記録材収容受け１０５に搬送排出されるようになっている。
【００３７】
―追加付属装置―
また、本実施の形態では、図１５に示すように、記録材後処理装置２２は後処理装置筐体１００の突出筐体１０４の凹所３３の内側に追加付属装置３００を着脱自在に設けたものである。
この追加付属装置３００は、実施の形態１と略同様に、追加付属筐体３０１内に記録材搬送路３０２を設け、この記録材搬送路３０２の一部に孔開け機構３３０を配設すると共に、記録材搬送路３０２の孔開け機構３３０の上流側に位置合わせロール３４０を設けたものである。尚、追加付属装置３００の着脱自在な取付構造については実施の形態１と略同様である。
【００３８】
―装置作動―
本実施の形態において、画像形成装置２１の制御装置４１０及び記録材後処理装置２２の制御装置４３０は実施の形態１と略同様であり、切替爪１２１、孔開け機構３３０、位置決め収容受け１５０及び端綴じ機構１７０などを制御し、実施の形態１と略同様な記録材処理モード（通常モード、孔開けモード及び端綴じモード、端綴じモード、孔開けモード）を実行するようになっている。
以下に、図１５に示すように、追加付属装置３００が装備された記録材後処理装置２２を備えた記録材処理装置２０に基づいて各種記録材の処理モードについて説明する。
―通常モード―
画像形成装置２１の操作部４００にて通常モードが選択されると、画像形成部４０にて作像形成された記録材Ｓは、定着装置５６を経て記録材搬送路５１を移動していき、記録材搬送路５１の出口から排出ロール６６にて後処理装置筐体１００の頂部に設けられた記録材排出部１０２に搬送排出される。
【００３９】
―孔開けモード及び端綴じモード―
画像形成装置２１の操作部４００にて孔開けモード及び端綴じモードが選択されると、画像形成装置２１で作像済みの記録材Ｓは、分岐搬送路６５を経て排出ロール６７にて記録材後処理装置２２へと導かれ、後処理装置筐体１００内の記録材搬送路１１０を経て搬送される。
このとき、分岐搬送路１２０の切替爪１２１は一方の分岐搬送路１２０ａを選択する位置（Ａ位置）に切り替えられているため、記録材Ｓは一方の分岐搬送路１２０ａ側に導かれ、記録材Ｓの後端が分岐搬送路１２０の分岐点を越えた時点で一旦停止させられる。
この後、例えば搬送ロール１１５，１１６を逆方向に回転させることで、記録材Ｓは他方の分岐搬送路１２０ｂへと搬送された後、追加付属装置３００へと導かれる。そして、記録材Ｓに対して追加付属装置３００の孔開け機構３３０による孔開け処理が施される。
しかる後、切替爪１２１は両方の分岐搬送路１２０ａ，１２０ｂをつなげる位置（Ｂ位置）に切り替えられ、追加付属装置３００にて孔開け処理された記録材Ｓは分岐搬送路１２０（１２０ａ，１２０ｂ）を通じて搬送された後、位置決め収容受け１５０に位置決め収容され、次いで、端綴じ機構１７０による端綴じ処理が行われ、排出ロール１１７にて記録材収容受け１０５に搬送排出される。
【００４０】
―孔開けモード又は端綴じモード―
画像形成装置２１の操作部４００にて孔開けモード（端綴じなし）が選択されると、上述した孔開けモード及び端綴じモードの動作過程のうち、端綴じ機構１７０による端綴じ処理を除いた動作過程が行われる。
また、画像形成装置２１の操作部４００にて端綴じモード（孔開けなし）が選択されると、上述した孔開けモード及び端綴じモードの動作過程のうち、追加付属装置３００の孔開け機構３３０による孔開け処理を除いた動作過程が行われる。
【００４１】
◎実施の形態３
図１６は実施野形態３に係る記録材処理装置の概要を示す。
同図において、記録材処理装置２０は、実施の形態１と略同様に、記録材Ｓに画像を形成する画像形成装置２１と、この画像形成装置２１にて画像形成された記録材Ｓに対して所定の後処理を施す記録材後処理装置２２とを備えている。
本実施の形態では、画像形成装置２１は実施の形態２と略同様である。尚、実施の形態２と同様な構成要素については実施の形態２と同様な符号を付してここではその詳細な説明を省略する。
一方、標準装備態様の記録材後処理装置２２は、画像形成装置２１の装置筐体３０の側方に並んで設置される後処理装置筐体１００を有し、装置筐体３０の凹所３３の底部には記録材搬送用筐体（トランスポートユニット）１０６を配設し、画像形成装置２１にて作像済みの記録材Ｓを記録材搬送用筐体１０６を介して後処理装置筐体１００に導くようにしたものである。
尚、記録材搬送用筐体１０６の頂部が装置筐体３０の凹所３３内の記録材排出部１０７として働くようになっている。
【００４２】
ここで、記録材搬送用筐体１０６は記録材搬送路１１０を有すると共に、この記録材搬送路１３０には複数の搬送ロール１３１〜１３４を設けたものである。
また、後処理装置筐体１００は、装置筐体３０の凹所３３の外側に面した位置に臨んで設置されており、内部には記録材搬送用筐体１０６の記録材搬送路１３０に通ずる記録材搬送路１４０を有すると共に、その外側面には排出される記録材Ｓが収容可能な記録材収容受け１０５を有している。そして、記録材搬送路１４０は下から上に向かって延び且つ途中で二股に分岐する分岐搬送路１４１（例えば１４１ａ，１４１ｂ）を有する略Ｔ字状に構成されており、この分岐搬送路１４１の分岐点には分岐搬送路１４１を切り替えるための切替爪１４２が配設されている。
ここで、記録材搬送路１４０のうち分岐搬送路１４１の手前には複数の搬送ロール１３５，１３６が設けられており、更に、一方の分岐搬送路１４１ａには複数の搬送ロール１３７，１３８が配設されている。
更に、一方の分岐搬送路１４１ａの下方には位置決め収容受け１５０が配設されると共に、この位置決め収容受け１５０に位置決めされた記録材Ｓの端部に対して端綴じする端綴じ機構１７０が設けられ、位置決め収容受け１５０に位置決めされた記録材Ｓは排出ロール１１７を介して記録材収容受け１０５に搬送排出されるようになっている。
【００４３】
―追加付属装置―
また、本実施の形態では、図１７に示すように、記録材後処理装置２２は後処理装置筐体１００の前記装置筐体３０の凹所３３に面した側面に追加付属装置３００を着脱自在に設けたものである。
この追加付属装置３００は、実施の形態１と略同様に、追加付属筐体３０１内に記録材搬送路３０２を設け、この記録材搬送路３０２の一部に孔開け機構３３０を配設すると共に、記録材搬送路３０２の孔開け機構３３０の上流側に位置合わせロール３４０を設けたものである。尚、追加付属装置３００の着脱自在な取付構造については実施の形態１と略同様である。
【００４４】
―装置作動―
本実施の形態において、画像形成装置２１の制御装置４１０及び記録材後処理装置２２の制御装置４３０は実施の形態１と略同様であり、切替爪１４２、孔開け機構３３０、位置決め収容受け１５０及び端綴じ機構１７０などを制御し、実施の形態１と略同様な記録材処理モード（通常モード、孔開けモード及び端綴じモード、端綴じモード、孔開けモード）を実行するようになっている。
以下に、図１７に示すように、追加付属装置３００が装備された記録材後処理装置２２を備えた記録材処理装置２０に基づいて各種記録材の処理モードについて説明する。
―通常モード―
画像形成装置２１の操作部４００にて通常モードが選択されると、画像形成部４０にて作像形成された記録材Ｓは、定着装置５６を経て記録材搬送路５１を移動していき、記録材搬送路５１の出口から排出ロール６６にて記録材搬送用筐体１０６の頂部に設けられた記録材排出部１０７に搬送排出される。
【００４５】
―孔開けモード及び端綴じモード―
画像形成装置２１の操作部４００にて孔開けモード及び端綴じモードが選択されると、画像形成装置２１で作像済みの記録材Ｓは、分岐搬送路６５を経て排出ロール６７にて記録材搬送用筐体１０６へと導かれた後、後処理装置筐体１００へと搬送される。
このとき、記録材後処理装置２２では、分岐搬送路１４１の切替爪１４２は一方の分岐搬送路１４１ａを選択する位置（Ａ位置）に切り替えられているため、記録材Ｓは一方の分岐搬送路１４１ａ側に導かれ、記録材Ｓの後端が分岐搬送路１４１の分岐点を越えた時点で一旦停止させられる。
この後、例えば搬送ロール１３７，１３８を逆方向に回転させることで、記録材Ｓは他方の分岐搬送路１４１ｂへと搬送された後、追加付属装置３００へと導かれる。そして、記録材Ｓに対して追加付属装置３００の孔開け機構３３０による孔開け処理が施される。
しかる後、切替爪１４２は両方の分岐搬送路１４１ａ，１４１ｂをつなげる位置（Ｂ位置）に切り替えられ、追加付属装置３００にて孔開け処理された記録材Ｓは分岐搬送路１４１（１４１ａ，１４１ｂ）を通じて搬送された後、位置決め収容受け１５０に位置決め収容され、次いで、端綴じ機構１７０による端綴じ処理が行われ、排出ロール１１７にて記録材収容受け１０５に搬送排出される。
―孔開けモード又は端綴じモード―
画像形成装置２１の操作部４００にて孔開けモード（端綴じなし）又は端綴じモード（孔開けなし）が選択されると、上述した孔開けモード及び端綴じモードの動作過程のうち、端綴じ機構１７０による端綴じ処理又は追加付属装置３００の孔開け機構３３０による孔開け処理を除いた動作過程が行われる。
【００４６】
◎実施の形態４
図１８（ａ）は実施の形態４に係る記録材処理装置の概要を示す。
同図において、記録材処理装置２０は、実施の形態２と略同様に、記録材Ｓに画像を形成する画像形成装置２１と、この画像形成装置２１にて画像形成された記録材Ｓに対して所定の後処理を施す記録材後処理装置２２とを備えている。
本実施の形態では、画像形成装置２１は、実施の形態２と略同様に構成されているが、実施の形態２と異なり、画像形成部４０が中間転写方式のカラー画像が形成可能な態様を採用したものである。尚、実施の形態２と同様な構成要素については実施の形態２と同様な符号を付してここではその詳細な説明を省略する。
本例において、画像形成部４０は、トナー像を形成保持する感光体ドラム４４１と、この感光体ドラム４４１を帯電する帯電ロール等の帯電装置４４２と、帯電された感光体ドラム４４１に潜像を形成するレーザー走査装置などの露光装置４４３と、感光体ドラム４１上に形成された静電潜像を各色成分トナーで順次現像して可視像化する回転式現像装置４４４と、感光体ドラム４１上の各色成分トナー像を記録材に転写する前に中間的に転写する中間転写体４４５と、この中間転写体４４５上に多重転写された多重トナー像を記録材供給装置５０から供給された記録材上に転写する転写ロール等の転写装置４４６と、感光体ドラム４１上の残留トナーを清掃する清掃装置４４７とを主要部として備えている。
また、標準装備態様の記録材後処理装置２２は実施の形態２と略同様である。
特に、本実施の形態では、記録材後処理装置２２は、記録材Ｓの中央に対して折すじを付した後に中綴じ処理を施す後処理機能を追加、拡張するために、図１８（ｂ）に示す追加付属装置３００及び図１８（ｃ）に示す拡張付属装置６００を用いるようにしたものである。
【００４７】
―追加付属装置―
本実施の形態では、図１８（ｂ）及び図１９に示すように、記録材後処理装置２２は後処理装置筐体１００の突出筐体１０４の凹所３３の内側に追加付属装置３００を着脱自在に設けたものである。
この追加付属装置３００は、追加付属筐体３０１内に記録材搬送路３０２を設け、この記録材搬送路３０２の一部に折すじ機構３５０を設けるようにしたものである。尚、追加付属装置３００の着脱自在な取付構造については実施の形態１と略同様である。
【００４８】
―折すじ機構―
本実施の形態で用いられる折すじ機構３５０を図２０に示す。
図２０（ａ）において、折すじ機構３５０は、中綴じモード時に中綴じ処理を行うために記録材Ｓの搬送方向中央位置に事前折り目を付けるものであり、記録材Ｓへの事前折り目付けを行うための一対の折すじロール３５１（３５１ａ，３５１ｂ）と、この折すじロール３５１の挟持領域に対して記録材搬送路３０２の反対側に設けられ、所定のタイミングでこの挟持領域側に対し進退可能な折り刃３５２とを備えている。
ここで、折すじロール３５１ｂは一方の折すじロール３５１ａに対して付勢スプリング３５６にて常時付勢されており、また、前記折すじロール３５１ｂの周囲には、記録材走行面に対向する位置とこの記録材走行面に対向する位置から退避した退避位置との間で移動可能なロールカバー３５５が設けられている。
尚、記録材搬送路３０２の折すじ機構３５０の上流側には記録材Ｓの先端位置を検出するための位置検出器３０５が設けられている。
【００４９】
特に、本実施の形態では、前記一対の折すじロール３５１の一方のロール３５１ａは記録材搬送路３０２を挟んで搬送ロール３０３が対向配置されており、駆動モータ３５３は搬送ロール３０３及び折すじロール３５１を正逆回転可能に駆動するようになっている。また、記録材搬送路３０２の折すじ機構３５０の下流に位置する一対の搬送ロール３０４は駆動モータ３５４にて正逆回転可能に駆動されるようになっている。
尚、折り刃３５２の進退動作は独立の駆動源を用いてもよいが、本実施の形態では、例えば折すじロール３５１の駆動モータ３５３にクラッチを介して接続し、クラッチのオンオフ動作により前記駆動モータ３５３からの駆動力を利用して進退動するように構成されている。
【００５０】
つまり、本実施の形態では、位置検出器３０５による記録材Ｓの先端位置を基準とし、搬送ロール３０３、搬送ロール３０４を所定量移動させ、図２０(ｂ)に示すように、一対の折すじロール３５１の挟持領域に対応した部位に記録材Ｓが到達した時点で、駆動モータ３５３にて搬送ロール３０４を逆回転させた状態で折すじロール３５１を回転させると共に、折すじロール３５１の挟持領域に折り刃３５２を進出移動させ、折すじロール３５１対に記録材Ｓの中央部を引き込みながら記録材Ｓの中央部に折すじＳａを付した後、駆動モータ３５３にて搬送ロール３０３を逆回転させることで折すじロール３５１間に挟持された記録材Ｓを挟持部位から抜ける方向に戻すと共に、折り刃３５２を元に戻し、搬送ロール３０３、３０４にて折すじＳａが付された記録材Ｓを順次搬送するようにしたものである。
尚、本実施の形態では、搬送ロール３０３が正規回転しているときは、ロールカバー３５５が退避位置から記録材走行面に対向する位置に移動して、記録材Ｓの搬送方向と逆方向に回転する折すじロール３５１ｂの表面に記録材Ｓが接触しないようになっており、折り目付けを行わない場合の記録材Ｓの搬送動作に対して前記折すじロール３５１ｂが支障を及ぼさないようになっている。
【００５１】
―拡張付属装置―
本実施の形態では、図１８（ｃ）及び図１９に示すように、記録材後処理装置２２は後処理装置筐体１００の突出筐体１０４の外側に拡張付属装置６００を着脱自在に設けたものである。
この拡張付属装置６００は製本時に必要な中綴じ機構６２０を備えたものであり、例えば図２１に示すように、中綴じ機構６２０を保持する拡張付属筐体６０１を有し、この拡張付属筐体６０１には記録材搬送路６０２を設け、この記録材搬送路６０２（図２１参照）を上下で区画する上側区画部材６０３と下側区画部材６０４とを備えている。
本実施の形態において、下側区画部材６０４は、上側区画部材６０３に比べて後処理装置筐体１００からの突出寸法が短く設定されており、下側区画部材６０４が存在しない上側区画部材６０３の下方部分は記録材収容受け１０５への記録材Ｓ束の排出開口６０５として開口している。
そして、本実施の形態では、下側区画部材６０４の下方には可動区画部材６４０が設けられている。この可動区画部材６４０は、例えば一部に駆動ギア６４１に噛合う図示外のギア歯を形成し、駆動ギア６４１の回転に応じて下側区画部材６０４の区画面に略沿って適宜延長するように移動するものである。
これは、記録材Ｓのサイズが大きい場合に可動区画部材６４０にて記録材Ｓを支持し、中綴じ機構６２０による中綴じ処理を可能にするものであり、可動区画部材６４０は記録材Ｓのサイズに応じて適宜移動するようになっている。
更に、この拡張付属筐体６０１には中綴じ機構６２０及び搬送ロール６０７が組み込まれている。
【００５２】
―中綴じ機構―
本実施の形態において、中綴じ機構６２０は、図２１及び図２２に示すように、記録材Ｓの搬送方向に直交する方向(幅方向)に対して一対固定的に設けられており、上側区画部材６０３に設置される中綴じ機構本体６２１と、下側区画部材６０４の一部に記録材Ｓ束の搬送に支障のないように設けられる対向部材６３０とで構成されている。
本例において、中綴じ機構本体６２１は、上側区画部材６０３に固定設置される支持台６２２を有し、この支持台６２２に対し揺動自在な可動綴じ部６２３を設け、上側区画部材６０３の一部に開設した打ち込み開口６２４を介して記録材搬送路６０２中の記録材Ｓ束に綴じ針を打ち込むものである。尚、可動綴じ部６２３は綴じ針を打ち込む機能を具備したものであり、端綴じ機構１７０の基本的構成と略同様である。
また、上記対向部材６３０は硬質材料からなるものであり、可動綴じ部６２３の中綴じ位置に対応して配置されている。
更に、本実施の形態では、一対の中綴じ機構６２０は固定的に設けられているが、例えば記録材Ｓのサイズに応じて中綴じ位置を可変設定するという要請がある場合には、一対の中綴じ機構６２０を記録材Ｓの幅方向に沿って移動させるように可動機構を介して支持するようにしても差し支えない。
【００５３】
また、搬送ロール６０７は、下側に駆動ロール６１１を有すると共に、上側に接離ロール６１２を有している。
ここで、搬送ロール６０７の接離機構（図示せず）としては、駆動ロール６１１は駆動モータ６６１からの駆動力を駆動伝達機構６６２を介して支持軸６６３に伝達するものであり、一方、接離ロール６１２は図示外の付勢ばねにて駆動ロール６１１側に付勢されている。
そして、本実施の形態では、搬送ロール６０７は一対の中綴じ機構６２０の間に設けられており、上側区画部材６０３のロール開口６２５を介して両者が対向配置されている。
【００５４】
次に、中綴じ機構６２０による中綴じ処理過程について説明すると、例えば図２４に示すように行われる。
すなわち、折すじ機構３５０にて折すじが付された記録材Ｓは順次位置決め収容受け１５０に排出される。
この位置決め収容受け１５０では、回転揃え部材１５３、及び、押し揃え部材１５６にて記録材Ｓが隣接する二方向にて位置決め収容される。
上記動作を所定枚数繰り返し、所定枚数の記録材Ｓが揃った状態で、排出ロール１１７が位置決め収容受け１５０にて位置決め収容された記録材Ｓを挟持した後、記録材Ｓのサイズに応じて所定量ｍ、具体的には中綴じ機構６２０による中綴じ位置が記録材Ｓ中央部となる位置まで搬送する（図２４（ａ）参照）。
この後、中綴じ機構６２０による中綴じ処理が行われ、しかる後、搬送ロール６０７が中綴じ済みの記録材Ｓを挟持して搬送し、記録材収容受け１０５に収容する（図２４（ｂ）参照）。尚、搬送ロール６０７にて記録材Ｓが挟持搬送された場合には、記録材Ｓ束の搬送性を良好に保つ上で排出ロール１１７は離間配置されている。
【００５５】
―拡張付属装置の取付構造―
また、拡張付属装置６００の取付構造は例えば図２３に示すようになっている。
同図において、拡張付属筐体６０１の後処理装置筐体１００側に位置する取付面上部には複数（本例では２つ）の引っ掛け片６７０が突出形成されており、前記拡張付属筐体６０１の取付面下部にはネジなどの止め具が保持可能な取付片６７５が設けられる一方、後処理装置筐体１００には前記引っ掛け片６７０が挿入されて引っ掛かる支持孔６８０が開設されると共に、前記取付片６７５に対応した部位に取付孔６８５が設けられている。
特に、本実施の形態では、拡張付属筐体６０１の引っ掛け片６７０は、支持孔６８０への挿入方向に突出する挿入片６７１と、この挿入片６７１の先端部に設けられ且つ挿入片６７１より断面積が大きく形成される抜け止め頭部６７２とを備えている。これに対し、後処理装置筐体１００の支持孔６８０は、前記引っ掛け片６７０が挿入可能な例えば矩形状の挿入孔部６８１と、この挿入孔部６８１の一側方に隣接して設けられて前記挿入片６７１が嵌合可能で且つ挿入片６７１が嵌合した状態で抜け止め頭部６７２が離脱不能に掛け止められる掛け止め孔部６８２とを備えている。
よって、本実施の形態では、後処理装置筐体１００に拡張付属装置６００を装着する場合には、後処理装置筐体１００の支持孔６８０に拡張付属筐体６０１の引っ掛け片６７０を挿入した後に横方向に摺動させ、この状態で、後処理装置筐体１００の取付孔６８５に拡張付属筐体６０１の取付片６７５に保持された止め具（図示せず）を取り付け固定するようにすればよい。このとき、拡張付属筐体６０１の引っ掛け片６７０は後処理装置筐体１００の支持孔６８０に外れることなく掛け止められることから、拡張付属装置６００は後処理装置筐体１００に外れることなく固定される。
尚、後処理装置筐体１００から拡張付属装置６００を取り外す場合には、図示外の止め具を取り外した後に後処理装置筐体１００に対して拡張付属筐体６０１を横方向に少し移動させ、支持孔６８０に対する引っ掛け片６７０の掛け止め状態を解除した上で、後処理装置筐体１００から拡張付属装置６００を取り外すようにすればよい。
【００５６】
―制御系―
図２５は本実施の形態で用いられる記録材処理装置の制御系を示す。
同図において、画像形成装置２１は、記録材Ｓのサイズ、部数、孔開け処理の有無、綴じモードの有無などを操作する操作部４００と、この操作部４００からの情報に基づいて各動作対象物（モータ・検出器等）４２０を制御する制御装置４１０とを備えている。
また、記録材後処理装置２２は、画像形成装置２１の制御装置４１０との間で相互にやりとりする制御装置４３０を有し、この制御装置４３０にて各動作対象物（モータ・検出器等）４４０を制御することに加えて、切替爪１２１の切替処理、各後処理機構としての折すじ機構３５０、端綴じ機構１７０、中綴じ機構６２０による夫々の後処理、並びに、位置決め収容受け１５０での記録材位置決め処理などを制御するものである。
【００５７】
―記録材処理装置の作動―
次に、本実施の形態で用いられる記録材処理装置の作動について説明する。
本実施の形態において、画像形成装置２１の制御装置４１０及び記録材後処理装置２２の制御装置４３０は、図２６に示すように、後処理の有無について判断し、後処理が端綴じモードか、折すじ付き中綴じモードか、単純中綴じモードかを判断し、後処理のない場合には通常モードを実行し、また、後処理のモードに応じて、端綴じモード、折すじ付き中綴じモード、あるいは、単純中綴じモードかを実行する。
【００５８】
―通常モード―
今、記録材処理装置が通常モードで実行されている場合について説明すると、記録材供給装置５０から供給された記録材Ｓに画像形成部４０により画像が形成されると、作像済みの記録材Ｓは定着装置５６を経て排出ロール５８を介して記録材排出部１０２に排出収容される。
【００５９】
―折すじ付き中綴じモード―
記録材処理装置が折すじ付き中綴じモードを実行する場合について説明すると、以下のようである。
今、画像形成装置２１の操作部４００にて折すじモード及び中綴じモードが選択されると、図１９に示すように、画像形成装置２１にて作像済みの記録材Ｓは記録材後処理装置２２に導かれ、記録材搬送路１１０に沿って搬送ロール１１１〜１１４により搬送されていく。
このとき、分岐搬送路１２０の切替爪１２１は一方の分岐搬送路１２０ａを選択する位置（Ａ位置）に切り替えられているため、記録材Ｓは一方の分岐搬送路１２０ａ側に導かれ、記録材Ｓの後端が分岐搬送路１２０の分岐点を越えた時点で一旦停止させられる。
この後、例えば搬送ロール１１５，１１６を逆方向に回転させることで、記録材Ｓは他方の分岐搬送路１２０ｂへと搬送された後、追加付属装置３００へと導かれる。そして、記録材Ｓに対して追加付属装置３００の折すじ機構３５０による折すじ処理が施される。
しかる後、切替爪１２１は両方の分岐搬送路１２０ａ，１２０ｂをつなげる位置（Ｂ位置）に切り替えられ、追加付属装置３００にて折すじ処理された記録材Ｓは分岐搬送路１２０（１２０ａ，１２０ｂ）を通じて搬送された後、位置決め収容受け１５０に位置決め収容され、次いで、排出ロール１１７にて拡張付属装置６００へ搬送排出される。
この拡張付属装置６００では、位置決めされた折すじ付きの記録材Ｓの端部には中綴じ機構６２０による中綴じ処理が施された後、搬送ロール６０７にて記録材収容受け１０５に搬送排出される。
【００６０】
―単純中綴じモード―
これは、折すじ機構３５０による折すじ処理を経ないで中綴じ機構６２０による中綴じ処理を行うものである。
今、画像形成装置２１の操作部４００にて単純中綴じモード（折すじなし）が選択されると、上述した折すじ付き中綴じモードの動作過程のうち、折すじ機構３５０による折すじ処理を除いた動作過程が行われる。
つまり、記録材後処理装置２２内では、記録材Ｓは追加付属装置３００の折すじ機構３５０による折すじ処理を経ずに、位置決め収容受け１５０による位置決め処理、拡張付属装置６００の中綴じ機構６２０による中綴じ処理が行われる。
【００６１】
―端綴じモード―
今、画像形成装置２１の操作部４００にて端綴じモードが選択されると、画像形成装置２１にて作像済みの記録材Ｓは記録材後処理装置２２に導かれる。
このとき、分岐搬送路１２０の切替爪１２１は一方の分岐搬送路１２０ａを選択する位置（Ａ位置）に切り替えられているため、記録材後処理装置２２へ搬送された記録材Ｓは、記録材搬送路１１０から一方の分岐搬送路１２０ａを経て位置決め収容受け１５０に位置決め収容され、しかる後、端綴じ機構１７０による端綴じ処理が行われ、排出ロール１１７にて記録材収容受け１０５に搬送排出される。
特に、本実施の形態では、拡張付属装置６００が設けられているが、排出ロール１１７から排出される記録材Ｓは、中綴じ機構６２０による中綴じ処理を受けることなく、拡張付属筐体６０１の記録材搬送路６０２を経た後に記録材収容受け１０５に搬送排出される。
尚、後処理装置筐体１００に拡張付属装置６００を上下動自在に設けるようにしてもよく、この態様では、例えば拡張付属装置６００を用いない後処理モードを選択した場合には、拡張付属装置６００を例えば上方に移動させ、記録材収容受け１０５に排出ロール１１７から排出される記録材Ｓを直接搬送排出させるようにしてもよい。
【００６２】
◎実施の形態５
図２７（ａ）は実施の形態５に係る記録材処理装置の概要を示す。
同図において、標準装備態様の記録材処理装置２０は、実施の形態１と略同様の画像形成装置２１及び後処理記録装置２２（位置決め収容受け１５０及び端綴じ機構１７０を具備）を備えている。
本実施の形態では、記録材処理装置２０は、図２７（ｂ）（ｃ）及び図２８に示すように、画像形成装置２１の装置筐体３０に追加付属装置３００を着脱自在に取り付け、記録材後処理装置２２の後処理装置筐体１００に拡張付属装置６００を着脱自在に取り付けたものである。
ここで、追加付属装置３００は、装置筐体３０の分岐搬送路５２ｂに対応する部位に設けられ、実施の形態４と略同様に、追加付属筐体３０１に記録材搬送路３０２を設け、この記録材搬送路３０２に折すじ機構３５０を配設したものである。
一方、拡張付属装置６００は、後処理装置筐体１００の排出ロール１１７に対応した部位に設けられ、実施の形態４と略同様に、拡張付属筐体６０１に記録材搬送路６０２（図２１参照）を設け、この記録材搬送路６０２に中綴じ機構６２０（中綴じ機構本体６２１，対向部材６３０）を配設したものである。
【００６３】
本実施の形態によれば、記録材処理装置２０は以下のように動作する。
例えば通常モード時には、画像形成装置２１で作像された記録材Ｓは分岐排出路６０を経て記録材収容受け６１に搬送排出される。
また、折すじ付き中綴じモード時には、画像形成装置２１で作像された記録材Ｓは、先ず追加付属装置３００にて折すじ機構３５０による折すじ処理が行われ、次いで、位置決め収容受け１５０にて位置決めされた後に、拡張付属装置６００の中綴じ機構６２０による中綴じ処理が行われ、後処理装置筐体１００の記録材排出部１０１に排出収容される。
更に、単純中綴じモードでは、折すじ付き中綴じモードの処理過程のうち、追加付属装置３００の折すじ機構３５０による折すじ処理を除いた動作過程が行われる。
更にまた、端綴じモードでは、追加付属装置３００の折すじ機構３５０による折すじ処理及び拡張付属装置６００の中綴じ機構６２０による中綴じ処理を行うことなく、位置決め収容受け１５０による位置決め処理及び端綴じ機構１７０による端綴じ処理が行われる。
【００６４】
◎実施の形態６
図２９は実施の形態６に係る記録材処理装置の概要を示す。
同図において、標準装備態様の記録材処理装置２０は、実施の形態３と略同様の画像形成装置２１及び記録材後処理装置２２（位置決め収容受け１５０及び端綴じ機構１７０を具備）を備えている。
但し、記録材後処理装置２２は後処理装置筐体１００が上下に分割しており、上側後処理装置筐体１００ａに位置決め収容受け１５０や端綴じ機構１７０が収容されると共に、記録材搬送路１４０には下側後処理装置筐体１００ｂに向かって分岐する分岐搬送路１４５が設けられ、この分岐搬送路１４５の一部に搬送ロール１４６が設けられる一方、下側後処理筐体１００ｂは上側後処理筐体１００ａの支持台として機能するようになっている。
そして、本実施の形態では、図３０に示すように、記録材後処理装置２２の上側後処理装置筐体１００ａと記録材搬送用筐体１０６とに隣接した部位に追加付属装置３００が着脱自在に取り付けられ、また、図２９の下側後処理装置筐体１００ｂに代えて、拡張付属装置６００が上側後処理装置筐体１００ａに対して着脱自在に取り付けられる。
【００６５】
ここで、追加付属装置３００は、実施の形態４，５と略同様に、追加付属筐体３０１内に記録材搬送路３０２を設け、この記録材搬送路３０２に折すじ機構３５０を配設したものである。
一方、拡張付属装置６００は、図３０及び図３１に示すように、拡張付属筐体６０１内に斜め下方に延びる記録材搬送路６０２を設け、この記録材搬送路６０２に中綴じ機構６２０（中綴じ機構本体６２１，対向部材６３０）を配設すると共に、記録材搬送路６０２の中綴じ機構６２０の上流側には記録材Ｓを中央にて中折りする中折り機構７００が配設されている。
そして、記録材搬送路６０２の中折り機構７００配設部位には記録材搬送路６０２から分岐する分岐搬送路６９０が設けられ、この分岐搬送路６９０には適宜数の搬送ロール６９１が配設され、この分岐搬送路６９０の出口に対応した拡張付属筐体６０１の外側には中綴じ・中折りされた記録材Ｓが排出収容される記録材収容受け６９５が設けられている。
更に、記録材搬送路６０２の中折り機構７００の上流側には正逆回転可能な搬送ロール６９６が設けられ、この搬送ロール６９６の直後には記録材Ｓの先端又は後端位置を検出するための位置検出器６９７が設けられている。
本実施の形態において、中折り機構７００は、例えば図３１（ａ）に示すように、記録材Ｓの搬送方向中央部を中折りするための一対の中折りロール７０１と、この中折りロールの挟持領域に対して記録材搬送路６０２の反対側に設けられ、所定のタイミングで中折りロール７０１の挟持領域側に対し進退可能な折り刃７０２とを備えている。
そして、この中折り機構７００の中折り処理は、図３１（ｂ）に示すように、記録材Ｓの搬送方向中央が中折り機構７００の中折り位置に到達した状況で、中折りロール７０１を記録材Ｓを引き込む方向に回転させ、かつ、折り刃７０２を中折りロール７０１側に向けて進出させることにより行われる。
尚、前記位置検出器６９７は、中綴じ機構６２０による記録材Ｓの中綴じ位置及び中折り機構７００による記録材Ｓの中折り位置に記録材Ｓの搬送方向中央部が到達したことを決め上で記録材Ｓの通過タイミングを検出するものである。
【００６６】
―制御系―
図２５に本実施の形態で用いられる記録材処理装置の制御系を示す。
同図において、画像形成装置２１は、操作部４００と、この操作部４００からの情報に基づいて各動作対象物（モータ・検出器等）４２０を制御する制御装置４１０とを備えている。
また、記録材後処理装置２２は、画像形成装置２１の制御装置４１０との間で相互にやりとりする制御装置４３０を有し、この制御装置４３０にて各動作対象物（モータ・検出器等）４４０を制御することに加えて、切替爪１２１の切替処理、各後処理機構としての折すじ機構３５０、端綴じ機構１７０、中綴じ機構６２０、中折り機構７００による夫々の後処理、並びに、位置決め収容受け１５０での記録材位置決め処理などを制御するものである。
【００６７】
本実施の形態では、画像形成装置２１の制御装置４１０及び記録材後処理装置２２の制御装置４３０は、後処理の有無について判断し、後処理が端綴じモードか、折すじ付き中綴じ・中折りモードかを判断し、後処理のない場合には通常モードを実行し、また、後処理のモードに応じて、端綴じモード、折すじ付き中綴じ・中綴じモードを実行する。
―通常モード―
例えば通常モード時には、画像形成装置２１で作像された記録材Ｓは記録材搬送路５１を経て排出ロール６６にて記録材排出部１０７に搬送排出される。
【００６８】
―中すじ付き中綴じ・中折りモード―
このモードは、画像形成装置２１の操作部４００にて中すじモード、中綴じモード及び中折りモードの全てを選択するものである。
この場合、画像形成装置２１で作像された記録材Ｓは、記録材搬送用筐体１０６を通じて記録材後処理装置２２に取り込まれる。
このとき、切替爪１４２は一方の分岐搬送路１４１ａを選択する位置（Ａ位置）に切換えられているため、記録材Ｓは記録材搬送路１４０から一方の分岐搬送路１４１ａに導かれた後、切替爪１４２が両方の分岐搬送路１４１ａ，１４１ｂをつなげる位置（Ｂ位置）に切り替えられ、搬送ロール１３７，１３８によるスイッチバック動作にて追加付属装置３００に導かれる。
そして、追加付属装置３００にて記録材Ｓには折すじ機構３５０による折すじ処理が施され、折すじ付きの記録材Ｓは追加付属装置３００から元の分岐搬送路１４１ｂを通じて一方の分岐搬送路１４１ａまで戻る。
【００６９】
この後、切替爪１４２が再度Ａ位置に切り替わり、搬送ロール１３７，１３８のスイッチバック動作にて記録材Ｓは記録材搬送路１４０側に向けて搬送された後、下側につながる分岐搬送路１４５を通じて拡張付属装置６００へと導かれる。
この拡張付属装置６００では、記録材Ｓは。図３０及び図３１に示すように、搬送ロール６９６により記録材搬送路６０２に沿って所定量搬送され、記録材Ｓの搬送方向中央が中綴じ機構６２０の中綴じ位置に到達した状況で中綴じ機構６２０による中綴じ処理が行われ、次いで、搬送ロール６９６により記録材Ｓが記録材搬送６０２を所定量逆方向に戻り、記録材Ｓの搬送方向中央が中折り機構７００の中折り位置に到達した状況で中折り機構７００による中折り処理が行われ、中綴じ・中折りされた記録材Ｓは分岐搬送路６９０を経て搬送ロール６９１により搬送され、記録材収容受け６９５に排出収容される。
【００７０】
―端綴じモード―
更にまた、端綴じモードでは、追加付属装置３００の折すじ機構３５０による折すじ処理及び拡張付属装置６００の中綴じ機構６２０による中綴じ処理、中折り機構７００による中折り処理を行うことなく、記録材後処理装置２２に取り込まれた記録材Ｓは、一方の分岐搬送路１４１ａ側に導かれた後、位置決め収容受け１５０による位置決め処理及び端綴じ機構１７０による端綴じ処理が行われる。
【００７１】
◎実施の形態７
図３２は実施の形態７に係る記録材処理装置の概要を示す。
同図において、標準装備態様の記録材処理装置２０は、実施の形態５と略同様な画像形成装置２１及び記録材後処理装置２２（位置決め収容受け１５０及び端綴じ機構１７０を具備）を備えている。尚、実施の形態５と同様な構成要素については実施の形態５と同様な符号を付してここではその詳細な説明を省略する。
但し、画像形成装置２１は、記録材搬送路５１のレイアウトが実施の形態５と異なり、また、画像形成部４０は電子写真方式を採用しているが、実施の形態５と異なり、略水平方向に搬送される記録材Ｓに対して画像を形成するものである。
また、標準装備態様の記録材後処理装置２２は画像形成装置２１の装置筐体３０の外側に着脱自在に設けられている。
この記録材後処理装置２２は実施の形態５と略同様な構成要素（但し、搬送ロール１１６は複数具備）を有しているが、実施の形態１と構成要素のレイアウトが左右勝手違いになっており、後処理装置筐体１００の側部には記録材収容受け１０５を備えている。
【００７２】
更に、本実施の形態では、図３３に示すように、画像形成装置２１の装置筐体３０の突出部３１の凹所３３側には追加付属装置３００が着脱自在に設けられており、一方、記録材後処理装置２２の後処理装置筐体１００の記録材収容受け１０５側には拡張付属装置６００が着脱自在に取り付けられている。
本実施の形態では、追加付属装置３００は、実施の形態５と略同様に、追加付属筐体３０１内に記録材搬送路３０２を設け、この記録材搬送路３０２に折すじ機構３５０を配設したものであるが、実施の形態５の態様とは構成要素が左右勝手違いのレイアウトになっている。
一方、拡張付属装置６００は、実施の形態５と略同様に、拡張付属筐体６０１内に中綴じ機構６２０を配設したものであるが、実施の形態５の態様とは構成要素が左右勝手違いのレイアウトになっている。
【００７３】
従って、本実施の形態に係る追加付属装置３００、拡張付属装置６００を備えた記録材処理装置２０では、実施の形態５と略同様に、通常モード、折すじ付き中綴じモード、単純中綴じモードあるいは端綴じモードを実現することができる。
但し、追加付属装置３００及び拡張付属装置６００のレイアウトが実施の形態５と逆であることから、例えば折すじ付き中綴じモードを実行する場合には、切替爪５３は最初一方の分岐搬送路５２ａを選択する位置（Ａ位置）に切り替えられるが、画像形成装置２１にて作像済みの記録材Ｓは、記録材搬送路５１から一方の分岐搬送路５２ａを経て追加付属装置３００に導かれ、この追加付属装置３００の折すじ機構３５０による折すじ処理が行われる。しかる後、切替爪５３は両方の分岐搬送路５２（５２ａ，５２ｂ）をつなげる位置（Ｂ位置）に切り替えられ、追加付属装置３００の記録材Ｓは分岐搬送路５２を経て記録材後処理装置２２へと導かれ、この記録材後処理装置２２の位置決め収容受け１５０にて位置決めされた後、排出ロール１１７にて拡張付属装置６００へと導かれ、この拡張付属装置６００の中綴じ機構６２０による中綴じ処理が行われた後、記録材収容受け１０５に搬送排出される。
尚、単純中綴じモードでは、折すじ付き中綴じモードの動作過程のうち、追加付属装置３００の折すじ機構３５０による折すじ処理を除く動作過程を行うようにすればよい。また、端綴じモードでは、追加付属装置３００及び拡張付属装置６００による後処理を行わずに、位置決め収容受け１５０による位置決め処理及び端綴じ機構１５０による端綴じ処理を行うようにすればよい。
【００７４】
◎実施の形態８
図３４は実施の形態８に係る記録材処理装置の概要を示す。
同図において、標準装備態様の記録材処理装置２０は、実施の形態５と略同様な画像形成装置２１及び実施の形態６と略同様な記録材後処理装置２２（位置決め収容受け１５０及び端綴じ機構１７０を具備）を備えている。尚、実施の形態５，６と同様な構成要素については実施の形態５，６と同様な符号を付してここではその詳細な説明を省略する。
但し、標準装備態様の記録材後処理装置２２は画像形成装置２１の装置筐体３０の凹所３３に面していない外側に着脱自在に設けられている。
また、記録材後処理装置２２は上下に分割可能な後処理装置筐体１００（上側後処理装置筐体１００ａ，下側後処理装置筐体１００ｂ）を有しており、上側後処理装置筐体１００ａには、略水平方向に延びる記録材搬送路１１０が設けられ、この記録材搬送路１１０には適宜数（本例では２つ）の排出ロール１１６が設けられ、また、この記録材搬送路１１０から分岐する分岐搬送路１４５が下方に向かって設けられ、記録材搬送路１１０と分岐搬送路１４５との分岐点には切替爪１４７が設けられると共に、分岐搬送路１４５には適宜数（本例では２つ）の搬送ロール１４６が設けられている。
そして、記録材搬送路１１０の下方には位置決め収容受け１５０及び端綴じ機構１７０が設けられている。更に、下側後処理筐体１００ｂは上側後処理筐体１００ａの支持台として機能するようになっている。尚、本実施の形態では、実施の形態６で用いられている記録材搬送用筐体１０６は使用されていない。
【００７５】
また、本実施の形態では、図３５に示すように、画像形成装置２１の装置筐体３０の突出部３１の凹所３３側には追加付属装置３００が着脱自在に設けられており、一方、図３４の下側後処理装置筐体１００ｂに代えて、拡張付属装置６００が上側後処理装置筐体１００ａに対して着脱自在に取り付けられる。
本実施の形態では、追加付属装置３００は、実施の形態６と略同様に、追加付属筐体３０１内に記録材搬送路３０２を設け、この記録材搬送路３０２に折すじ機構３５０を配設したものであるが、実施の形態６の態様とは構成要素が左右勝手違いのレイアウトになっている。
一方、拡張付属装置６００は、実施の形態６と略同様に、拡張付属筐体６０１内に中綴じ機構６２０及び中折り機構７００を配設したものであるが、実施の形態６の態様とは構成要素が左右勝手違いのレイアウトになっている。
【００７６】
従って、本実施の形態に係る追加付属装置３００、拡張付属装置６００を備えた記録材処理装置２０では、実施の形態６と略同様に、通常モード、折すじ付き中綴じ・中折りモードあるいは端綴じモードを実現することができる。
但し、追加付属装置３００及び拡張付属装置６００のレイアウトが実施の形態６と逆であることから、例えば折すじ付き中綴じモードを実行する場合には、切替爪５３は最初一方の分岐搬送路５２ａを選択する位置（Ａ位置）に切り替えられるが、画像形成装置２１にて作像済みの記録材Ｓは、記録材搬送路５１から一方の分岐搬送路５２ａを経て追加付属装置３００に導かれ、この追加付属装置３００の折すじ機構３５０による折すじ処理が行われる。しかる後、切替爪５３は両方の分岐搬送路５２（５２ａ，５２ｂ）をつなげる位置（Ｂ位置）に切り替えられ、追加付属装置３００の記録材Ｓは分岐搬送路５２を経て記録材後処理装置２２へと導かれる。
【００７７】
この記録材後処理装置２２では、切替爪１４７が分岐搬送路１４５を選択する位置に切り替えられており、折すじ付きの記録材Ｓは分岐搬送路１４５を経て拡張付属装置６００に導かれる。
この拡張付属装置６００では、記録材Ｓは。図３５に示すように、搬送ロール６９６により記録材搬送路６０２に沿って所定量搬送され、記録材Ｓの搬送方向中央が中綴じ機構６２０の中綴じ位置に到達した状況で中綴じ機構６２０による中綴じ処理が行われ、次いで、搬送ロール６９６により記録材Ｓが記録材搬送６０２を所定量逆方向に戻り、記録材Ｓの搬送方向中央が中折り機構７００の中折り位置に到達した状況で中折り機構７００による中折り処理が行われ、中綴じ・中折りされた記録材Ｓは分岐搬送路６９０を経て搬送ロール６９１により搬送され、記録材収容受け６９５に排出収容される。
尚、通常モードでは、画像形成装置にて作像済みの記録材Ｓは、分岐搬送路６５を経て排出ロール６７にて装置筐体３０の凹所３３の底部を記録材排出部として搬送排出される。また、端綴じモードでは、追加付属装置３００及び拡張付属装置６００による後処理を行わずに、位置決め収容受け１５０による位置決め処理及び端綴じ機構１５０による端綴じ処理を行うようにすればよい。
【図面の簡単な説明】
【００７８】
【図１】本発明を具現化した記録材処理装置の実施の形態の代表モデル１の概要を示す説明図である。
【図２】本発明を具現化した記録材処理装置の実施の形態の代表モデル２の概要を示す説明図である。
【図３】実施の形態１に係る記録材処理装置の全体構成を示す説明図である。
【図４】(ａ)は実施の形態１で用いられる記録材後処理装置の後処理機構としての端綴じ機構の詳細を示す説明図、(ｂ)は(ａ)中Ｂ−Ｂ方向から見た矢視図である。
【図５】（ａ）（ｂ）は接離自在な搬送ロールの構成例を示す説明図である。
【図６】実施の形態１で用いられる端綴じ機構の配置関係を示す説明図である。
【図７】(ａ)〜(ｃ)は端綴じ機構の構成並びに動作状態を示す説明図である。
【図８】実施の形態１に係る記録材後処理装置に追加付属装置を付加した態様を示す説明図である。
【図９】実施の形態１で用いられる追加付属装置の取付構造例を示す説明図である。
【図１０】(ａ)(ｂ)は実施の形態１で用いられる追加付属装置に組み込まれる孔開け機構及びその動作過程を示す説明図である。
【図１１】実施の形態１で用いられる制御系を示す説明図である。
【図１２】図１１の制御系における記録材処理制御過程を示すフローチャートである。
【図１３】(ａ)(ｂ)は記録材の後処理過程を模式的に示す説明図である。
【図１４】実施の形態２に係る記録材処理装置の全体構成を示す説明図である。
【図１５】実施の形態２に係る記録材後処理装置に追加付属装置を付加した態様を示す説明図である。
【図１６】実施の形態３に係る記録材処理装置の全体構成を示す説明図である。
【図１７】実施の形態３に係る記録材後処理装置に追加付属装置を付加した態様を示す説明図である。
【図１８】(ａ)は実施の形態４に係る記録材処理装置の全体構成を示す説明図、(ｂ)は追加付属装置の一例を示す説明図、(ｃ)は拡張付属装置の一例を示す説明図である。
【図１９】実施の形態４に係る記録材処理装置に追加付属装置及び拡張付属装置を付加した態様を示す説明図である。
【図２０】（ａ）は実施の形態４で用いられる追加付属装置の追加後処理機構としての折すじ機構の詳細を示す説明図、(ｂ)はその折すじ形成動作時の状態を示す説明図である。
【図２１】実施の形態４で用いられる拡張付属装置の拡張後処理機構としての中綴じ機構の詳細を示す説明図である。
【図２２】図２１中ＸＸＩＩ方向から見た矢視図である。
【図２３】図２１の中綴じ機構の取付構造例を示す説明図である。
【図２４】(ａ)(ｂ)は中綴じ機構の動作過程を示す説明図である。
【図２５】実施の形態４で用いられる制御系を示す説明図である。
【図２６】図２５の制御系における記録材処理制御過程を示すフローチャートである。
【図２７】(ａ)は実施の形態５に係る記録材処理装置の全体構成を示す説明図、(ｂ)は追加付属装置の一例を示す説明図、(ｃ)は拡張付属装置の一例を示す説明図である。
【図２８】実施の形態５に係る記録材処理装置に追加付属装置及び拡張付属装置を付加した態様を示す説明図である。
【図２９】実施の形態６に係る記録材処理装置の全体構成を示す説明図である。
【図３０】実施の形態６に係る記録材処理装置に追加付属装置及び拡張付属装置を付加した態様を示す説明図である。
【図３１】(ａ)は実施の形態６で用いられる拡張後処理機構の詳細を示す説明図、(ｂ)は拡張後処理機構の一要素である中折り機構の動作例を示す説明図である。
【図３２】実施の形態７に係る記録材処理装置の全体構成を示す説明図である。
【図３３】実施の形態７に係る記録材後処理装置に追加付属装置を付加した態様を示す説明図である。
【図３４】実施の形態８に係る記録材処理装置の全体構成を示す説明図である。
【図３５】実施の形態８に係る記録材後処理装置に追加付属装置及び拡張付属装置を付加した態様を示す説明図である。
【符号の説明】
【００７９】
１…記録材後処理装置，２…後処理装置筐体，３…後処理機構，４…追加後処理機構，５…搬送制御手段，６（６ａ，６ｂ）…分岐搬送路，６ｃ…切替手段，７…追加付属装置，８…拡張付属装置，８ａ…拡張後処理機構，９…位置合わせ部材，１０……画像形成装置，１１…画像形成装置筐体，１２…画像形成部，１３…記録材収容受け，１４…凹所，１５…画像読取部，Ｓ…記録材
【図１】
0004513853.tif 000002
【図２】
0004513853.tif 000003
【図３】
0004513853.tif 000004
【図４】
0004513853.tif 000005
【図５】
0004513853.tif 000006
【図６】
0004513853.tif 000007
【図７】
0004513853.tif 000008
【図８】
0004513853.tif 000009
【図９】
0004513853.tif 000010
【図１０】
0004513853.tif 000011
【図１１】
0004513853.tif 000012
【図１２】
0004513853.tif 000013
【図１３】
0004513853.tif 000014
【図１４】
0004513853.tif 000015
【図１５】
0004513853.tif 000016
【図１６】
0004513853.tif 000017
【図１７】
0004513853.tif 000018
【図１８】
0004513853.tif 000019
【図１９】
0004513853.tif 000020
【図２０】
0004513853.tif 000021
【図２１】
0004513853.tif 000022
【図２２】
0004513853.tif 000023
【図２３】
0004513853.tif 000024
【図２４】
0004513853.tif 000025
【図２５】
0004513853.tif 000026
【図２６】
0004513853.tif 000027
【図２７】
0004513853.tif 000028
【図２８】
0004513853.tif 000029
【図２９】
0004513853.tif 000030
【図３０】
0004513853.tif 000031
【図３１】
0004513853.tif 000032
【図３２】
0004513853.tif 000033
【図３３】
0004513853.tif 000034
【図３４】
0004513853.tif 000035
【図３５】
0004513853.tif 000036